(57)【特許請求の範囲】
【請求項１】
紙又はカードである複数種類の媒体を挿入又は排出可能な開口部と、
前記媒体を搬送可能で、かつ、一端に前記媒体を内部に引き込む引き込み部を有し、他端に前記媒体を外部に排出する排出部を有する搬送路と、特定の種類の前記媒体に対して所定の処理を実行可能な媒体処理部と、を有する複数の媒体処理ユニットと、
を備え、
複数の前記媒体処理ユニット同士が、上流に位置する前記媒体処理ユニットの前記排出部から下流に位置する前記媒体処理ユニットの前記引き込み部へと、前記媒体を受け渡し可能なように連結され、
前記媒体処理ユニットのそれぞれは、他の前記媒体処理ユニットと連結可能な上流側連結部及び下流側連結部を備え、
一の前記媒体処理ユニットが有する前記上流側連結部は、他の媒体処理ユニットが有する上流側連結部と同形状とされ、
一の前記媒体処理ユニットが有する前記下流側連結部は、他の媒体処理ユニットが有する下流側連結部と同形状とされる
媒体処理装置。
【請求項２】
前記媒体の種類を識別する識別部を備える
請求項１に記載の媒体処理装置。
【請求項３】
前記識別部は、
前記媒体に光線を投光する投光器と、
前記媒体に投光された前記光線の透過光及び反射光の少なくともいずれか一方を受光可能な受光器と、
を備える請求項２に記載の媒体処理装置。
【請求項４】
前記識別部は、
前記媒体の搬送方向と交差する方向に並べて複数配置され、搬送される前記媒体の通過を検出する媒体検出部を有することを特徴とする
ことを特徴とする請求項２又は請求項３に記載の媒体処理装置。
【請求項５】
前記媒体検出部は、
搬送される前記媒体の表面に付される金属の通過を検出する
ことを特徴とする請求項４に記載の媒体処理装置。
【請求項６】
前記媒体検出部は、
前記媒体の搬送面に向けて投光される光のうち、当該媒体によって遮光されていない部分の光を取り込んで伝送する
ことを特徴とする請求項４に記載の媒体処理装置。
【請求項７】
排出する複数種類の前記媒体を重ねて蓄積し、重ねて蓄積された複数の前記媒体を重ねた状態のまま前記開口部から排出する排出駆動部を備える
請求項１から請求項６の何れか一項に記載の媒体処理装置。
【請求項８】
前記開口部に重ねて挿入された複数の前記媒体の重なりを分離して排出する媒体分離部を備える
請求項１から請求項７のいずれか一項に記載の媒体処理装置。
【請求項９】
利用者から入力される情報に基づいて特定される前記媒体の挿入順序を通知する通知部を備える
請求項１から請求項８の何れか一項に記載の媒体処理装置。
【請求項１０】
紙又はカードである複数種類の媒体を挿入又は排出可能な開口部を有する媒体処理装置の内部において、複数で連結されて用いられる媒体処理ユニットであって、
一端に前記媒体を内部に引き込む引き込み部を有し、他端に前記媒体を外部に排出する排出部を有して、前記媒体を搬送する搬送路と、
前記搬送路に搬送される前記媒体に所定の処理を行う媒体処理部と、
前記引き込み部又は前記排出部と他の媒体処理ユニットの前記排出部又は前記引き込み部との間で前記媒体を受け渡し可能となるように、当該他の媒体処理ユニットと連結可能に設けられた上流側連結部及び下流側連結部と、
を備え、
前記上流側連結部は、他の媒体処理ユニットが有する上流側連結部と同形状とされ、
前記下流側連結部は、他の媒体処理ユニットが有する下流側連結部と同形状とされる
媒体処理ユニット。
【発明の詳細な説明】
【技術分野】
【０００１】
本発明は、媒体処理装置及び媒体処理ユニットに関する。
【背景技術】
【０００２】
有料道路等の料金所には料金を自動的に収受するための料金自動収受機（媒体処理装置）が設置されている。利用者が料金自動収受機を用いて料金収受を行うにあたっては、券またはカードである複数種類の媒体の挿入を求められる場合がある。例えば、利用者は、有料道路の入口等で取得した通行券を挿入したり、その通行券に応じた課金額を支払うために、紙幣、クレジットカード、ＥＴＣカード（ＥＴＣ：Electronic Toll Collection System（登録商標）、「電子式料金収受システム」、「自動料金収受システム」とも言う）等を挿入したりする。
このような紙又はカードである複数種類の媒体を挿入して処理可能な料金自動収受機としては、例えば、挿入口を統一することで利便性の向上を図る技術が考案されている（例えば、特許文献１、特許文献２参照）。
【先行技術文献】
【特許文献】
【０００３】
【特許文献１】特開平９−１６７２６４号公報
【特許文献２】特開平６−２４３３００号公報
【発明の概要】
【発明が解決しようとする課題】
【０００４】
上述のように挿入口を統一することで、利用者は、種類の異なる媒体を一の挿入口から挿入することができるため利便性が向上する。しかしながら、このような料金自動収受機は、その内部において、挿入された媒体の種類を識別するとともに、識別された種類に応じて媒体の搬送先を切り替える機構（搬送路の分岐点）を必要とする。そのため、料金自動収受機の構成が複雑化する可能性があった。
【０００５】
本発明の目的は、上記課題に鑑みてなされたものであって、利用者の利便性を向上させるとともに、装置構成を簡易化できる媒体処理装置及び媒体処理ユニットを提供することにある。
【課題を解決するための手段】
【０００６】
本発明の一態様は、紙又はカードである複数種類の媒体（Ｑ）を挿入又は排出可能な開口部（１４）と、前記媒体を搬送可能で、かつ、一端に前記媒体を内部に引き込む引き込み部（１０２ａ）を有し、他端に前記媒体を外部に排出する排出部（１０２ｂ）を有する搬送路（１０２）と、特定の種類の前記媒体に対して所定の処理を実行可能な媒体処理部（１０１）と、を有する複数の媒体処理ユニット（１０）と、を備え、複数の前記媒体処理ユニットが、上流に位置する前記媒体処理ユニットの前記排出部から下流に位置する前記媒体処理ユニットの前記引き込み部へと、前記媒体を受け渡し可能なように連結される媒体処理装置（１）である。
このような構成によれば、特定の種類の媒体に対する処理を実行する媒体処理ユニットの各々が、搬送される媒体を受け渡し可能に、直列に連結される。これにより、上流から下流までを結ぶ一本の搬送経路上で、各種媒体に対応する処理が実行可能となる。したがって、分岐路及び分岐路を駆動する駆動機構を排することができ、全体の構成が簡素化する。
【０００７】
また、本発明の一態様は、上述の媒体処理装置において、前記媒体処理ユニットが、他の前記媒体処理ユニットと連結可能な連結部（１０Ｂ）を備えている。
このような構成とすることで、複数の媒体処理ユニット同士が互いに連結可能となるので、媒体処理装置を運用する運用先のニーズに合わせて、連結する媒体処理ユニットの種類や数を、所望に変更することができる。
【０００８】
また、本発明の一態様は、上述の媒体処理装置において、前記媒体の種類を識別する識別部（１１）を備えている。
このような構成とすることで、挿入された媒体を処理可能か否か、を各媒体処理ユニットの各々が個別に判定する必要がなくなるので、処理時間の増加を抑えることができる。
【０００９】
また、本発明の一態様は、上述の媒体処理装置において、前記識別部が、前記媒体に光線（Ｗ）を投光する投光器（１１１ａ）と、前記媒体に投光された前記光線の透過光及び反射光の少なくともいずれか一方を受光可能な受光器（１１１ｂ、１１１ｃ、１１１ｄ）と、を備えている。
このような構成とすることで、受光器が受光する光の強度が媒体の種類に応じて変化するので、挿入された媒体の種類を特定することができる。
【００１０】
また、本発明の一態様は、上述の媒体処理装置において、前記識別部が、前記媒体の搬送方向と交差する方向に並べて複数配置され、搬送される前記媒体の通過を検出する媒体検出部（Ｊ、Ｏ１）を有することを特徴とする。
このような構成とすることで、通過する媒体の大きさに応じて、媒体の通過を検出する媒体検出部の数が変化するので、当該検出信号に基づいて媒体の大きさを特定することができる。
【００１１】
また、本発明の一態様は、上述の媒体処理装置において、前記媒体検出部が、搬送される前記媒体の表面に付される金属（ｑ１）の通過を検出することを特徴とする。
このような構成とすることで、媒体検出部の各々から出力される検出信号に基づいて媒体の表面に金属が付されているか否か、を特定することができる。
【００１２】
また、本発明の一態様は、上述の媒体処理装置において、前記媒体検出部が、前記媒体の搬送面（Ｎ）に向けて投光される光（Ｗ）のうち、当該媒体によって遮光されていない部分の光を取り込んで伝送することを特徴とする。
このような構成とすることで、通過する媒体の大きさに応じて、媒体検出部が取り込む光（検出信号）の総量が変化するので、当該光に基づいて媒体の大きさを特定することができる。
【００１３】
また、本発明の一態様は、上述の媒体処理装置において、排出する複数種類の前記媒体を重ねて蓄積し、重ねて蓄積された複数の前記媒体を重ねた状態のまま前記開口部から排出する排出駆動部（１２）を備えている。
このような構成とすることで、開口部から複数の媒体が重なった状態で排出されるので、利用者は一度にまとめて当該複数の媒体を取得することができる。これにより、装置の利便性が向上する。
【００１４】
また、本発明の一態様は、上述の媒体処理装置において、前記開口部に重ねて挿入された複数の前記媒体の重なりを分離して排出する媒体分離部（１１ａ）を備えている。
このような構成とすることで、利用者が複数の媒体を重なった状態のまま開口部に挿入した場合であっても、媒体の重なりが分離されて搬送されるので、媒体同士の干渉や動作の不具合を起こすことを回避することができる。
【００１５】
また、本発明の一態様は、上述の媒体処理装置において、利用者から入力される情報に基づいて特定される前記媒体の挿入順序を通知する通知部（３０）を備えている。
このような構成によれば、媒体処理装置は、利用者に対し、支払い処理の手順を適切に提示する。これにより、利用者は、挿入すべき媒体の種類について迷うことなく料金収受の手続きを進めることができ、利便性を向上させることができる。
【００１６】
また、本発明の一態様は、紙又はカードである複数種類の媒体を挿入又は排出可能な開口部を有する媒体処理装置の内部において、複数で連結されて用いられる媒体処理ユニットであって、一端に前記媒体を内部に引き込む引き込み部を有し、他端に前記媒体を外部に排出する排出部を有して、前記媒体を搬送する搬送路と、前記搬送路に搬送される前記媒体に所定の処理を行う媒体処理部と、前記引き込み部又は前記排出部と他の媒体処理ユニットの前記排出部又は前記引き込み部との間で前記媒体を受け渡し可能となるように、当該他の媒体処理ユニットの連結部に対応して設けられた連結部と、を備える媒体処理ユニットである。
このような構成によれば、特定の種類の媒体に対する処理を実行する媒体処理ユニットの各々が、搬送される媒体を受け渡し可能に、直列に連結される。これにより、上流から下流までを結ぶ一本の搬送経路上で、各種媒体に対応する全ての処理が実行可能となる。したがって、分岐路及び分岐路を駆動する駆動機構を排することができ、全体の構成が簡素化し、省スペース化を実現することができる。
【００１７】
また、本発明の一態様は、紙又はカードである複数種類の媒体を挿入又は排出可能な開口部と、前記媒体を搬送可能で、かつ、一端に前記媒体を内部に引き込む引き込み部を有し、他端に前記媒体を外部に排出する排出部を有する搬送路と、特定の種類の前記媒体に対して所定の処理を実行可能な媒体処理部と、を有する複数の媒体処理ユニットと、を備える媒体処理装置を用いた媒体処理方法であって、前記開口部から前記媒体を挿入するステップと、上流に位置する前記媒体処理ユニットの前記排出部から下流に位置する前記媒体処理ユニットの前記引き込み部へと、挿入された前記媒体を受け渡しながら、当該媒体の種類に対応する処理を実行可能な媒体処理部を有する媒体処理ユニットまで搬送するステップと、前記媒体処理部が、搬送された前記媒体に対して前記所定の処理を実行するステップと、を有する媒体処理方法である。
このような構成によれば、特定の種類の媒体に対する処理を実行する媒体処理ユニットの各々が、搬送される媒体を受け渡し可能に、直列に連結される。これにより、上流から下流までを結ぶ一本の搬送経路上で、各種媒体に対応する全ての処理が実行可能となる。したがって、分岐路及び分岐路を駆動する駆動機構を排することができ、全体の構成が簡素化し、省スペース化を実現することができる。
【発明の効果】
【００１８】
上述の媒体処理装置及び媒体処理ユニットによれば、利用者の利便性を向上させるとともに、装置の省スペース化を実現することができる。
【図面の簡単な説明】
【００１９】
【図１】第１の実施形態に係る媒体処理装置を有する料金収受施設の全体構成を示す図である。
【図２】第１の実施形態に係る媒体処理装置の構造の概略を示す図である。
【図３】第１の実施形態に係る媒体処理ユニットの構造を示す図である。
【図４】第１の実施形態に係る識別部の構造を示す図である。
【図５】第１の実施形態に係る搬送路ユニットの構造を示す図である。
【図６】第１の実施形態に係る排出駆動部の構造を示す図である。
【図７】第１の実施形態に係る媒体処理装置の機能構成を示す図である。
【図８】第１の実施形態に係る中央制御部の処理フローを示す図である。
【図９】第１の実施形態の変形例に係る媒体処理装置の構造を示す第１の図である。
【図１０】第１の実施形態の変形例に係る媒体処理装置の構造を示す第２の図である。
【図１１】第１の実施形態の他の変形例に係る識別部の構造を示す図である。
【図１２】第２の実施形態に係る媒体処理装置の構造及び機能構成を示す図である。
【図１３】第２の実施形態に係る中央制御部の処理フローを示す図である。
【図１４】第２の実施形態に係る表示部がモニタに表示させる情報を示す図である。
【図１５】各実施形態に係る識別処理部の構造の一例を示す図である。
【図１６】各実施形態に係る識別処理部の構造の変形例を示す第１の図である。
【図１７】各実施形態に係る識別処理部の構造の変形例を示す第２の図である。
【図１８】各実施形態に係る識別処理部の構造の変形例を示す第３の図である。
【発明を実施するための形態】
【００２０】
＜第１の実施形態＞
（全体構成）
以下、第１の実施形態に係る料金収受施設について、図面を参照ながら説明する。
図１は、第１の実施形態に係る媒体処理装置を有する料金収受施設の全体構成を示す図である。
図１に示すように、料金収受施設９は、媒体処理装置１と、車種判別装置９Ａと、発進制御機９Ｂと、発進検知器９Ｃと、を備えている。
本実施形態に係る媒体処理装置１は、車線Ｌの側部のアイランドＩ上に設けられ、車線Ｌ上に停止した車両との間で料金収受処理を行う料金自動収受機である。具体的には、媒体処理装置１は、料金収受に必要な紙又はカードである媒体、即ち、通行券、紙幣、クレジットカード、回数券、プリペイドカード、又は、ＥＴＣカードを専用の挿入口から受け付けて、車両Ａの車種や有料道路の走行距離等に応じた課金処理を行う。また、媒体処理装置１は、利用者に返却する媒体として、通行券、クレジットカード、プリペイドカード、ＥＴＣカード、釣銭として必要な紙幣、領収書等を専用の排出口から排出する。
図１に示すように、媒体処理装置１の筐体は、車線Ｌが配される側の車線幅方向（＋Ｙ方向）を向き、車線Ｌの側部と平行な面を前面１Ａとしている。利用者は、車両Ａの運転席側面が前面１Ａと対面する位置でアイランドＩの境界に幅寄せして停止し、媒体処理装置１を操作する。
【００２１】
車種判別装置９Ａは、車線Ｌの上流側（車両Ａの走行方向における手前側、−Ｘ方向側）に設けられ、車線Ｌに進入する車両の特性を検出する装置群である。車種判別装置９Ａは、車両検知器、踏板、車高検知器、車長検知器、ナンバープレート認識装置等の装置群を通じて得られる種々の検出信号に基づいて、通行する車両Ａの車種を特定する。
発進制御機９Ｂは、媒体処理装置１よりも車線Ｌの下流側（車両Ａの走行方向における奥手側、＋Ｘ方向側）に設けられ、ゲートの開放動作及び閉塞動作を実施する。発進制御機９Ｂは、例えば、利用者の運転する車両Ａを、料金の収受処理が完了するまで発進させないようにする等の目的で設けられている。
発進検知器９Ｃは、車線Ｌの最下流に設けられ、利用者の車両Ａが車線Ｌから退出したか否かを検出する。例えば、料金収受施設９は、発進検知器９Ｃが車両Ａの退出を検出した後に、発進制御機９Ｂに閉指令を出力してゲートの閉塞動作を実行させる。
【００２２】
なお、カードである媒体（以下、カード型媒体）とは、予め規定された大きさの略矩形板状の媒体であって、相対的に厚みがあり、たわみにくい性質を有する。カード型媒体は、表面に光沢があって光を反射させやすく、また、厚みがあるため光を透過しにくい。また、一部のカード型媒体には、情報の読み書きに用いられる金属端子が表面の一部に露出して設けられている。以下の実施形態において、「カード型媒体」とは、例えば、料金収受施設９において料金の支払に用いられるＥＴＣカード、クレジットカード、プリペイドカード等のプラスチック製の媒体である。
また、紙である媒体（以下、紙媒体）とは、カード型媒体とは異なる大きさに規定された略矩形板状の媒体であって、カード型媒体と比較して相対的に薄くたわみやすい性質を有する。紙媒体は、表面には光沢がなく、また、厚みがないため光を透過しやすい。以下の実施形態において、「紙媒体」とは、例えば、料金収受施設９において料金の支払に用いられる通行券、回数券、紙幣、領収書等の紙製の媒体である。
【００２３】
（媒体処理装置の構造）
図２は、第１の実施形態に係る媒体処理装置の構造の概略を示す図である。
図２に示すように、媒体処理装置１は、複数の媒体処理ユニット１０と、識別部１１と、排出駆動部１２と、搬送路ユニット１３と、を備えている。また、媒体処理装置１の前面１Ａには、開口部１４（挿入口１４ａ、排出口１４ｂ）が設けられている。
第１の実施形態に係る媒体処理装置１は、媒体処理ユニット１０として、ＥＴＣカード処理ユニット１０ａと、クレジットカード処理ユニット１０ｂと、通行券処理ユニット１０ｃと、プリペイドカード処理ユニット１０ｄと、回数券処理ユニット１０ｅと、領収書処理ユニット１０ｆと、紙幣処理ユニット１０ｇと、を備えている。
ＥＴＣカード処理ユニット１０ａは、カード型媒体であるＥＴＣカードに対して、当該ＥＴＣカードに記録された情報に基づいて料金の収受処理を実行する。
また、クレジットカード処理ユニット１０ｂは、ＥＴＣカード処理ユニット１０ａと同様に、カード型媒体であるクレジットカードに対して、当該クレジットカードに記録された情報に基づいて料金の収受処理を実行する。
また、通行券処理ユニット１０ｃは、紙媒体である通行券に対して、記録された情報の読み取り処理、必要な情報の書き込み処理を行う。
また、プリペイドカード処理ユニット１０ｄは、カード型媒体であるプリペイドカードに対して、当該プリペイドカードに記録された情報に基づいて料金の収受処理を実行する。
また、回数券処理ユニット１０ｅは、紙媒体である回数券に対して、当該回数券から読み取った情報に基づいて料金の収受処理を実行する。
また、領収書処理ユニット１０ｆは、紙媒体である領収書を印字して送出する領収書発行処理を実行する。
更に、紙幣処理ユニット１０ｇは、通行料に応じた金額だけ紙媒体である紙幣を受領し、必要に応じ、釣銭に応じた紙幣を送出する。
【００２４】
識別部１１は、挿入口１４ａに連結されて、挿入口１４ａから挿入された媒体（ＥＴＣカード、クレジットカード、通行券、プリペイドカード、回数券、紙幣）の種類を識別する。識別部１１の具体的な機能構成については後述する。
排出駆動部１２は、排出口１４ｂに連結されて、排出する複数種類の媒体を重ねて蓄積するとともに、当該重ねて蓄積された複数の媒体を重ねた状態のまま排出口１４ｂから排出する。
搬送路ユニット１３は、挿入された媒体を、予め形成された経路に沿って搬送して排出する。
【００２５】
図２に示すように、上述の媒体処理ユニット１０、識別部１１、排出駆動部１２及び搬送路ユニット１３は、全て直列に連結されており、挿入口１４ａから排出口１４ｂまでを一続きに結ぶ搬送経路Ｐをなしている。挿入口１４ａから挿入された媒体は、媒体処理ユニット１０、識別部１１、排出駆動部１２及び搬送路ユニット１３が直列に連結されてなる一の搬送経路Ｐを流れ、場合によっては、排出口１４ｂから排出される。
以下、一の搬送経路Ｐにおいて挿入口１４ａが配される側を上流、排出口１４ｂが配される側を下流として説明する。
【００２６】
なお、上述の媒体処理装置１の態様は一例であって、図１に示した態様に限定されるものではない。例えば、他の実施形態に係る媒体処理装置１は、上述の媒体処理ユニット１０のうちの一部を具備しない態様であってもよいし、上述の媒体処理ユニット１０以外の処理を実行可能な媒体処理ユニットを具備する態様であってもよい。例えば、媒体処理装置１は、無線通信に基づく非接触タイプのＩＣカードを処理可能な媒体処理ユニットを具備していてもよい。
【００２７】
（媒体処理ユニットの構造）
図３は、第１の実施形態に係る媒体処理ユニットの構造を示す図である。
図３（ａ）に示すように、媒体処理ユニット１０は、筐体１０Ａの内部に、媒体処理部１０１と、搬送路１０２と、を有する。
媒体処理部１０１は、特定の種類の媒体に対して、当該媒体の種類に対応する所定の処理を実行する。媒体がクレジットカードであった場合、クレジットカード処理ユニット１０ｂの媒体処理部１０１（クレジットカード処理部１０１ｂ（図７））は、クレジットカードに対して必要な情報の読み書きを行い、料金収受処理を実行する。各媒体処理ユニット１０の媒体処理部１０１が、他の種類の媒体に対して実行する処理については、図７を用いて後述する。
【００２８】
搬送路１０２は、筐体１０Ａの内部において、上流側から下流側に伸びるように配置される。搬送路１０２は、その一端に、媒体を外部から筐体１０Ａ内部に引き込む引き込み部１０２ａを有し、その他端に、媒体を筐体１０Ａ内部から外部に排出する排出部１０２ｂを有する。
具体的には、引き込み部１０２ａは、搬送用ローラである。引き込み部１０２ａは、筐体１０Ａの上流側の面１０Ａ１に設けられたスリットＴ１を通過した媒体を上下方向（±Ｚ方向）から回転面で挟みながら回転し、当該媒体を筐体１０Ａの内部に引き込む。
排出部１０２ｂも、引き込み部１０２ａと同様の搬送用ローラである。排出部１０２ｂは、筐体１０Ａの内部において上流側から下流側に送られてきた媒体を上下方向から回転面で挟みながら回転し、筐体１０Ａの下流側の面１０Ａ２に設けられたスリットＴ２を通じて外部に送り出す。ここで、スリットＴ１、Ｔ２は、互いに同一の形状に設けられた孔であって、挿入される全ての種類の媒体を挿入または排出可能なサイズに形成されている。
【００２９】
搬送路１０２に沿って設けられた処理用ローラ１０３は、当該搬送路１０２に沿って搬送される媒体を上下方向から回転面で挟みながら回転して移動させ、媒体処理部１０１が当該媒体に対する処理を実行可能な位置に位置決めする。
【００３０】
上述の引き込み部１０２ａ、排出部１０２ｂ、処理用ローラ１０３は、駆動モータＭから伝えられる回転力に基づいて回転する。各駆動モータＭは、媒体処理ユニット１０全体の動作を制御する媒体処理ユニット制御部１００（図７）からの駆動制御信号の入力を受け付けて、当該駆動制御信号に応じた回転量だけ引き込み部１０２ａ、排出部１０２ｂ、処理用ローラ１０３の各々を回転させる。
また、筐体１０Ａの内部には、搬送路１０２に沿って、複数の検知センサＳが配置される。検知センサＳは、媒体の有無に応じた検知信号を出力する。本実施形態において、検知センサＳは、非接触で物体の有無を検知可能な既知の光電センサである。検知センサＳは、媒体の有無に応じた検知信号を媒体処理ユニット制御部１００（図７）に出力する。なお、検知センサＳは、搬送される媒体の有無を検知可能であれば、他の方式に基づくセンサであってもよい。
【００３１】
媒体処理ユニット１０の筐体１０Ａには、他の媒体処理ユニット１０と連結するための連結部１０Ｂ（上流側連結部１０Ｂ１、下流側連結部１０Ｂ２）が設けられている。図３（ａ）に示すように、筐体１０Ａの上流側の面１０Ａ１には、上流側連結部１０Ｂ１が設けられる。上流側連結部１０Ｂ１には、上流方向（＋Ｙ方向）に突出する凸型ガイドＲ１が形成される。同様に、筐体１０Ａの下流側の面１０Ａ２には、下流側連結部１０Ｂ２が設けられる。下流側連結部１０Ｂには、上流方向に窪む凹型ガイドＲ２が形成される。
【００３２】
図３（ｂ）は、２つの媒体処理ユニット１０が連結部１０Ｂを介して連結されている様子を示している。
図３（ｂ）に示すように、上流側連結部１０Ｂ１は、媒体処理ユニット１０の上流側に配される他の媒体処理ユニット１０の下流側連結部１０Ｂ２と連結する。同じく、下流側連結部１０Ｂ２は、媒体処理ユニット１０の下流側に配される他の媒体処理ユニット１０の上流側連結部１０Ｂ１と連結する。
具体的には、下流側の媒体処理ユニット１０における上流側連結部１０Ｂ１の凸型ガイドＲ１が、上流側の媒体処理ユニット１０における下流側連結部１０Ｂ２の凹型ガイドＲ２に挿入されて嵌まり合わさることで連結される。このとき、上流側の媒体処理ユニット１０の下流側の面１０Ａ２に設けられたスリットＴ２と、下流側の媒体処理ユニット１０の上流側の面１０Ａ１に設けられたスリットＴ１と、の上下方向及び幅方向（±Ｘ方向）の位置が一致する。これにより、上流側の媒体処理ユニット１０の筐体１０Ａ内部の空間と、下流側の媒体処理ユニット１０の筐体１０Ａ内部の空間と、がスリットＴ１、Ｔ２を通じて連続的に結合されるので、媒体Ｑは、スリットＴ１、Ｔ２を通じて、上流側の媒体処理ユニット１０の排出部１０２ｂから下流側の媒体処理ユニット１０の引き込み部１０２ａまで移動することができる。
以上のように、連結部１０Ｂは、一の媒体処理ユニット１０の引き込み部１０２ａ又は排出部１０２ｂと、他の媒体処理ユニット１０の排出部１０２ｂ又は引き込み部１０２ａとの間で媒体Ｑが受け渡し可能となるように、媒体処理ユニット１０同士を連結させる。
【００３３】
また、本実施形態に係る媒体処理ユニット１０それぞれの筐体１０Ａには、同形状の凸型ガイドＲ１を有する上流側連結部１０Ｂ１、及び、同形状の凹型ガイドＲ２を有する下流側連結部１０Ｂ２が設けられる。全ての媒体処理ユニット１０が、同形状の上流側連結部１０Ｂ１及び下流側連結部１０Ｂ２を有することで、各媒体処理ユニット１０は、全ての媒体処理ユニット１０との間で媒体を受け渡し可能に連結できる。これにより、複数の媒体処理ユニット１０の各々が、他の媒体処理ユニット１０のいずれとも、互いに連結可能となる。
【００３４】
なお、図３（ａ）、（ｂ）に示した媒体処理ユニット１０の筐体１０Ａの構造は、上述した態様に限定されない。例えば、連結部１０Ｂを構成する凸型ガイドＲ１、凹型ガイドＲ２の形状や各々が配される方向（上流側か下流側か）は任意である。その他、連結部１０Ｂの態様は、上流側の媒体処理ユニット１０から下流側の媒体処理ユニット１０への媒体の受け渡しが可能な状態で連結する形状に形成されていれば、如何なる態様であっても構わない。
また、媒体処理ユニット１０の筐体１０Ａの構造は、図３（ａ）に示した態様に関わらず、媒体処理部１０１が実行する処理内容に応じた構造に適宜変形され得る。例えば、通行券処理ユニット１０ｃは、返却不要と判断された通行券を回収するための回収用搬送路及び回収ボックスを有するため、当該回収用搬送路や回収ボックス等に合わせて筐体１０Ａの構造が変形される。
【００３５】
（識別部の構造）
図４は、第１の実施形態に係る識別部の構造を示す図である。
図４（ａ）に示すように、識別部１１は、筐体１１Ａの内部に、識別処理部１１１と、搬送路１１２と、を有する。
識別処理部１１１は、搬送路１１２に沿って搬送される媒体の種類を識別し、当該媒体の種類を示す識別情報を、識別部１１全体の動作を制御する識別制御部１１０（図７）へ出力する。具体的には、例えば、識別処理部１１１は、光学的、又は、電気的な検出センサを有しており、当該検出センサを介して、搬送される媒体の大きさ（券幅、券長）を特定する。識別処理部１１１は、特定されたサイズに基づいて媒体の種類を特定する。
搬送路１１２は、筐体１１Ａの内部において上流側から下流側に伸びるように配されて、媒体を搬送する。搬送路１１２は、その一端に、媒体を外部から筐体１１Ａ内部に挿入する引き込み部１１２ａを有し、その他端に、媒体を筐体１１Ａ内部から外部に排出する排出部１１２ｂを有する。なお、搬送路１１２、引き込み部１１２ａ、排出部１１２ｂ、駆動モータＭ、検知センサＳ、及び、筐体１１Ａに設けられるスリットＴ１、Ｔ２の構造は、それぞれ、媒体処理ユニット１０の搬送路１０２、引き込み部１０２ａ、排出部１０２ｂ、駆動モータＭ、検知センサＳ、及び、スリットＴ１、Ｔ２（図３（ａ）参照）と同等である。
また、搬送路１１２に沿って設けられた送りローラ１１３は、挿入された媒体を回転面で挟みながら回転して上流側から下流側に移動させる。
【００３６】
識別部１１の筐体１１Ａには、連結部１１Ｂ（筐体１１Ａの上流側の面１１Ａ１に配される上流側連結部１１Ｂ１、下流側の面１１Ａ２に配される下流側連結部１１Ｂ２）が設けられている。上流側連結部１１Ｂ１には、上述した媒体処理ユニット１０（図３（ａ））の筐体１０Ａに設けられる凸型ガイドＲ１と同形状の凸型ガイドＲ１が形成される。また、下流側連結部１１Ｂには、上述した媒体処理ユニット１０の筐体１０Ａに設けられる凹型ガイドＲ２と同形状の凹型ガイドＲ２が形成される。
連結部１１Ｂが設けられることで、識別部１１は、媒体処理ユニット１０（図３（ａ））との間で媒体を受け渡し可能に連結される。
【００３７】
図４（ｂ）は、媒体処理装置１の前面１Ａに設けられた開口部１４（挿入口１４ａ）と連結されている様子を示している。
図４（ｂ）に示すように、媒体処理装置１の内部に配される面であって前面１Ａの裏面側の面（裏面１Ａ’）には、凸部Ｒ１と嵌め合わせ可能な凹部Ｒ２が設けられている。識別部１１の上流側連結部１１Ｂ１の凸部Ｒ１が、前面１Ａの裏面１Ａ’に配された凹部Ｒ２と嵌め合わされることで、媒体処理装置１の前面１Ａに設けられた挿入口１４ａと、識別部１１の筐体１１Ａに設けられたスリットＴ１と、の位置が重なって連結される。これにより、利用者が媒体を挿入口１４ａに挿入した場合に、挿入口１４ａ及びスリットＴ１を通じて識別部１１の筐体１１Ａ内部に挿入される。
【００３８】
（搬送路ユニットの構造）
図５は、第１の実施形態に係る搬送路ユニットの構造を示す図である。
図５（ａ）に示すように、搬送路ユニット１３は、筐体１３Ａの内部に、搬送路１３２を有する。
搬送路１３２は、筐体１３Ａの内部において上流側から下流側に弧を描いて伸びるように配されて、媒体を搬送する。搬送路１３２は、その一端に、媒体を外部から筐体１３Ａ内部に引き込む引き込み部１３２ａを有し、その他端に、媒体を筐体１３Ａ内部から外部に排出する排出部１３２ｂを有する。なお、搬送路１３２、引き込み部１３２ａ、排出部１３２ｂ、駆動モータＭ、検知センサＳ、及び、筐体１３Ａに設けられるスリットＴ１、Ｔ２の構造は、それぞれ、媒体処理ユニット１０の搬送路１０２、引き込み部１０２ａ、排出部１０２ｂ、駆動モータＭ、検知センサＳ、及び、スリットＴ１、Ｔ２（図３（ａ）参照）と同等である。
また、搬送路１３２に沿って設けられた送りローラ１３３は、挿入された媒体を回転面で挟みながら回転して上流側から下流側に移動させる。
【００３９】
また、搬送路ユニット１３の筐体１３Ａには、連結部１３Ｂ（上流側連結部１３Ｂ１、下流側連結部１３Ｂ２）が設けられている。上流側連結部１３Ｂ１には、上述した媒体処理ユニット１０（図３（ａ））の筐体１０Ａに設けられる凸型ガイドＲ１と同形状の凸型ガイドＲ１が形成される。また、下流側連結部１３Ｂには、上述した媒体処理ユニット１０の筐体１０Ａに設けられる凹型ガイドＲ２と同形状の凹型ガイドＲ２が形成される。
連結部１３Ｂが設けられることで、搬送路ユニット１３は、媒体処理ユニット１０（図３（ａ））との間で媒体を受け渡し可能に連結される。
【００４０】
搬送路ユニット１３は、予め形成された搬送経路（搬送路１３２）に沿って媒体を搬送するユニットである。図５（ａ）に示す搬送路ユニット１３は、筐体１３Ａの内部において搬送路１３２が弧を描くように形成されている。また、当該搬送路ユニット１３は、媒体が挿入されるスリットＴ１と、媒体が排出されるスリットＴ２と、が筐体１３Ａにおける同一面の上下方向に並べて設けられている。これにより、上下方向に分かれて配置された複数の媒体処理ユニット１０同士を連結することができる（図２参照）。このように、搬送路ユニット１３は、複数の媒体処理ユニット１０と直列に連結されることで、複数の媒体処理ユニット１０を処理ユニット収容部１Ｂの構造に合わせた形状で連結することができる。
【００４１】
搬送路ユニット１３は、図５（ａ）に示す態様に限定されず、他の形状に形成された搬送路を有する搬送路ユニット１３であってもよい。例えば、図５（ｂ）に示すように、単に、一方から他方にかけて直線状に形成された搬送路１３２を有する態様であってもよい。この場合、当該搬送路ユニット１３の筐体１３Ａの大きさ及び形状は、媒体処理ユニット１０の筐体１０Ａの大きさ及び形状と一致するように形成される。このようにすることで、搬送路ユニット１３は、媒体処理装置１を構成する媒体処理ユニット１０のうちの一つと交換することができる。換言すると、媒体処理装置１の組立作業者は、図２に示した媒体処理装置１に含まれる複数の媒体処理ユニット１０のうち不要な媒体処理ユニット１０を、図５（ｂ）に示す搬送路ユニット１３と交換して組み立てることができる。例えば、図２に示す媒体処理装置１がプリペイドカードを利用しない有料道路の料金収受施設に設置される場合、媒体処理装置１の組立作業者は、事前にプリペイドカード処理ユニット１０ｄを取り外して、その場所に、図５（ｂ）に示す搬送路ユニット１３を連結する。これにより、媒体処理装置１は、不要な機能を搭載しないで済むので、媒体処理装置１の省コスト化や保守性の向上を図ることができる。
【００４２】
また、本実施形態に係る媒体処理装置１は、媒体処理ユニット１０を上下方向に配置可能とする態様で説明したが、他の実施形態に係る媒体処理装置１は、例えば、媒体処理ユニット１０を左右方向に分けて配置可能とする態様であってもよい。この場合、搬送路ユニット１３は、例えば、媒体の周縁に接触しながら当該媒体の進路（搬送経路Ｐ）を左方向又は右方向に案内するガイド板を有する態様としてもよい。
【００４３】
（排出駆動部の構造）
図６は、第１の実施形態に係る排出駆動部の構造を示す図である。
図６（ａ）に示すように、排出駆動部１２は、媒体載置台１２１と、昇降軸１２２と、昇降用ギア１２３と、排出用ローラ１２４ａと、可動ローラ１２４ｂと、を備えている。
媒体載置台１２１は、排出口１４ｂを通じて利用者に手渡す媒体を載置する載置面Ｕ１を有する。媒体載置台１２１の載置面Ｕ１は、上流側に位置する媒体処理ユニット１０から次々と排出される複数の媒体が重なって置かれるように配されている。
昇降軸１２２は、媒体載置台１２１の下方側（−Ｚ方向側）の面において、当該媒体載置台１２１に固定して設けられ、昇降用ギア１２３と噛み合って駆動する。昇降用ギア１２３は、駆動モータＭの回転に応じて回転駆動する。
昇降用ギア１２３は、昇降軸１２２に設けられた歯と噛み合いながら回転することで、回転方向に応じて昇降軸１２２を上下方向に駆動させる。具体的には、昇降用ギア１２３が一方向に回転すると、当該昇降用ギア１２３に噛み合う昇降軸１２２が上昇駆動し、これに伴って媒体載置台１２１も上昇する。昇降用ギア１２３が他方向に回転すると、昇降軸１２２が下降駆動し、これに伴って媒体載置台１２１も下降する。
【００４４】
排出用ローラ１２４ａは、媒体処理装置１の内部に配される面であって載置面Ｕ１に対向する面（対向面Ｕ２）に設けられる。排出用ローラ１２４ａは、駆動モータＭに基づいて回転駆動する。
可動ローラ１２４ｂは、媒体載置台１２１の載置面Ｕ１において回転自在に設けられる。可動ローラ１２４ｂは、対向面Ｕ２に設けられた排出用ローラ１２４ａの下方側に設けられ、媒体載置台１２１が上昇駆動して載置面Ｕ１と対向面Ｕ２とが近接した際に、互いの回転面が接するように対向している。また、媒体処理ユニット１０から排出される媒体Ｑは、載置面Ｕ１に設けられた可動ローラ１２４ｂの回転面の上に載るように置かれる。
【００４５】
以上のような構成によれば、排出駆動部１２は、媒体処理ユニット１０から媒体Ｑが排出される処理中において媒体載置台１２１を下方側に配することで、当該排出される各種媒体Ｑ（クレジットカード、紙幣、領収書等）が載置面Ｕ１において次々と重なって置かれる（図６（ａ）参照）。
なお、排出駆動部１２の上流側に配される面であって媒体処理ユニット１０と接する面１２Ａ１にも、上述した媒体処理ユニット１０の筐体１０Ａに設けられる凹型ガイドＲ２と同形状の凹型ガイドＲ２が形成される。これにより、排出駆動部１２は、上流に位置する媒体処理ユニット１０と、媒体を受け渡し可能に連結することができる。
【００４６】
図６（ｂ）は、媒体処理ユニット１０から媒体Ｑが排出される処理が完了した後の排出駆動部１２の状態を示している。排出駆動部１２全体の動作を制御する排出駆動制御部１２０（図７）が、中央制御部１５（図７）から所定の排出指令信号を受け付けると、排出駆動制御部１２０は、昇降用ギア１２３を回転駆動させて媒体載置台１２１を上昇させる。媒体載置台１２１が所定量だけ上昇すると、排出用ローラ１２４ａと可動ローラ１２４ｂとの回転面が接する。このとき、媒体載置台１２１の上に重なって置かれた複数の媒体Ｑは、排出用ローラ１２４ａの回転面と可動ローラ１２４ｂの回転面との間に挟まれる。排出駆動制御部１２０は、複数の媒体Ｑを両方の回転面で挟んだ状態のまま、排出用ローラ１２４ａを回転駆動させる。そうすると、回転面の間に生じる摩擦力によって可動ローラ１２４ｂも一緒に回転し、当該回転面に挟まれた媒体の全てが重なった状態のまま排出口１４ｂを通じて外部に排出される。
以上のような構成により、排出駆動部１２は、排出する複数種類の媒体Ｑを重ねて蓄積するとともに、当該重ねて蓄積された複数の媒体Ｑを重ねた状態のまま排出口１４ｂから排出する。
【００４７】
（媒体処理装置の機能構成）
図７は、第１の実施形態に係る媒体処理装置の機能構成を示す図である。
図７に示すように、媒体処理装置１は、複数の媒体処理ユニット１０と、中央制御部１５と、を備えている。
以下、媒体処理装置１の各種機能構成について、図７及び媒体処理ユニット１０、識別部１１、排出駆動部１２、搬送路ユニット１３の構造（図３〜図６）を参照しながら説明する。
複数の媒体処理ユニット１０は、それぞれ、媒体処理ユニット制御部１００と、媒体処理部１０１と、駆動モータＭと、検知センサＳと、を備えている。
媒体処理ユニット制御部１００は、媒体処理ユニット１０全体の動作を制御する。具体的には、媒体処理ユニット制御部１００は、搬送路１０２に沿って設けられた複数の検知センサＳから出力される検知信号を受け付けて、搬送路１０２上における媒体の位置を特定する。そして、媒体処理ユニット制御部１００は、同じく搬送路１０２に沿って設けられた各種ローラ（引き込み部１０２ａ、排出部１０２ｂ、処理用ローラ１０３等）のうち、特定された位置に対応する各種ローラの駆動モータＭに駆動制御信号を出力する。これにより、媒体の位置に対応する各種ローラが回転し、搬送路１０２に沿って媒体が搬送される。
また、媒体処理ユニット制御部１００は、処理用ローラ１０３の回転により、媒体が所望する位置に搬送された際に、媒体処理部１０１に向けて、当該媒体に所定の処理を実行する旨の処理用制御信号を出力する。媒体処理部１０１は、当該処理用制御信号を受け付けたときに、搬送された媒体に対して所定の処理を実行する。
また、媒体処理ユニット制御部１００は、中央制御部１５と通信して、各種司令信号（後述）を受け付けたり、媒体に対する処理が完了した旨の通知信号を出力したりする。
【００４８】
ＥＴＣカード処理ユニット１０ａは、ＥＴＣカード処理ユニット制御部１００ａと、ＥＴＣカード処理部１０１ａと、を有している。
ＥＴＣカード処理ユニット制御部１００ａは、ＥＴＣカード処理部１０１ａに処理用制御信号を出力して、ＥＴＣカードを用いた料金収受処理を実行させる。ここで、ＥＴＣカード処理部１０１ａは、搬送されたＥＴＣカード表面に付される金属端子に接触する読み書き用ヘッダを有している。ＥＴＣカード処理部１０１ａは、ＥＴＣカード処理ユニット制御部１００ａから処理用制御信号を受け付けると、上記読み書き用ヘッダをＥＴＣカードの金属端子に接触させ、当該ＥＴＣカードに対して電気的手段を通じて必要な情報を読み書きする。これにより、ＥＴＣカード処理部１０１ａは、ＥＴＣカードを用いた料金収受処理を行うことができる。
【００４９】
また、クレジットカード処理ユニット１０ｂは、クレジットカード処理ユニット制御部１００ｂと、クレジットカード処理部１０１ｂと、を有している。
クレジットカード処理ユニット制御部１００ｂは、クレジットカード処理部１０１ｂに処理用制御信号を出力して、クレジットカードを用いた料金収受処理を実行させる。なお、クレジットカード処理部１０１ｂの具体的な態様は、ＥＴＣカード処理部１０１ａと同等である。
【００５０】
また、プリペイドカード処理ユニット１０ｄは、プリペイドカード処理ユニット制御部１００ｄと、プリペイドカード処理部１０１ｄと、を有している。
プリペイドカード処理ユニット制御部１００ｄは、プリペイドカード処理部１０１ｄに処理用制御信号を出力して、プリペイドカードを用いた料金収受処理を実行させる。プリペイドカード処理部１０１ｄは、搬送されたプリペイドカードに付された磁気ストライプから情報を読み取る磁気ヘッダを有している。プリペイドカード処理部１０１ｄは、当該磁気ヘッダを介してプリペイドカードを用いた料金収受処理を実行する。
【００５１】
また、回数券処理ユニット１０ｅは、回数券処理ユニット制御部１００ｅと、回数券処理部１０１ｅと、を有している。
回数券処理ユニット制御部１００ｅは、回数券処理部１０１ｅに処理用制御信号を出力して、回数券を用いた料金収受処理を実行させる。回数券処理部１０１ｅは、搬送された回数券の種類を読み取る回数券識別ヘッダを有している。回数券処理部１０１ｅは、当該回数券識別ヘッダを介して回数券を用いた料金収受処理を実行する。
【００５２】
また、通行券処理ユニット１０ｃは、通行券処理ユニット制御部１００ｃと、通行券処理部１０１ｃと、を有している。
通行券処理ユニット制御部１００ｃは、通行券処理部１０１ｃに処理用制御信号を出力して、挿入された通行券（又は乗継券）に対する情報の読み取り処理、書込み処理等を実行させる。通行券処理部１０１ｃは、例えば、通行券に対して情報の読み書きを実行する読み書き用ヘッダと、搬送路１０２（図３（ａ））と通行券の回収用に設けられた回収用搬送路との分岐点において媒体の搬送方向を選択する搬送路選択部と、を有する。通行券処理部１０１ｃは、通行券処理ユニット制御部１００ｃから処理用制御信号を受け付けると、上記読み書き用ヘッダを介して支払金額の決定に必要な情報を読み取るとともに、上記搬送路選択部を制御して返却不要と判断される通行券を回収用搬送路に案内する。また、利用者が乗継を行う場合、通行券処理部１０１ｃは、上記読み書き用ヘッダを介して乗継用の情報を書き込むとともに、上記搬送路選択部を制御して当該乗継用の情報が書き込まれた通行券を搬送路１０２の下流側に案内する。
【００５３】
また、領収書処理ユニット１０ｆは、領収書処理ユニット制御部１００ｆと、領収書処理部１０１ｆと、を有している。
領収書処理ユニット制御部１００ｆは、領収書処理部１０１ｆに処理用制御信号を出力して、領収書用紙への明細情報の印字処理、領収書の排出処理等を実行させる。ここで、領収書処理部１０１ｆは、例えば、別途用意されたロール紙から必要な長さの領収書用紙を搬送路１０２（図３（ａ））に送出する送出用ローラと、当該領収書用紙に明細情報を印字する印字ヘッダと、ロール紙から当該印字が施された領収書用紙をカットするカッターと、を有する。領収書処理部１０１ｆは、領収書処理ユニット制御部１００ｆから処理用制御信号を受け付けると、領収書処理ユニット制御部１００ｆは、上記送出用ローラ、印字ヘッダ及びカッターを制御して、明細情報が印字された領収書を作成し搬送路１０２へ送出する。
【００５４】
また、紙幣処理ユニット１０ｇは、紙幣処理ユニット制御部１００ｇと、紙幣処理部１０１ｇと、を有している。
紙幣処理ユニット制御部１００ｇは、主に、挿入された紙幣から通行料金に応じた紙幣を受領する処理を行う。具体的には、搬送された紙幣の種類を検出して、利用者から受け付けた金額を算出するとともに、紙幣処理部１０１ｇに処理用制御信号を出力して、当該挿入された紙幣を回収する処理を実行させる。また、算出した額が、徴収すべき額よりも大きく釣銭を支払う必要がある場合には、紙幣処理ユニット制御部１００ｇは、紙幣処理部１０１ｇに別の処理用制御信号を出力して、釣銭額に応じた紙幣の種類及び枚数の紙幣を選択して送出する釣銭支払処理を実行させる。ここで、紙幣処理部１０１ｇは、例えば、紙幣が蓄積された紙幣蓄積部から所望の紙幣を選択して搬送路１０２（図３（ａ））に送出する紙幣排出部を有する。紙幣処理部１０１ｇは、紙幣処理ユニット制御部１００ｇから釣銭額を示す情報を受け付けて、上記紙幣排出部を介して、当該釣銭額に応じた紙幣を搬送路１０２（図３（ａ））に送出する。
【００５５】
また、識別部１１は、識別制御部１１０と、識別処理部１１１と、を備えている。
識別制御部１１０は、識別処理部１１１に識別用制御信号を出力して、挿入された媒体の種類を識別する処理を実行させる。また、識別制御部１１０は、識別処理部１１１を通じて識別された媒体の種類を示す媒体識別情報を、後述する中央制御部１５に出力する。
【００５６】
また、排出駆動部１２は、排出駆動制御部１２０を有する。
排出駆動制御部１２０は、図６を用いて説明したように、駆動モータＭを駆動させ、重ねて蓄積された媒体をまとめて排出する処理を実行させる。排出駆動制御部１２０は、後述する中央制御部１５から、排出すべき媒体の全てが蓄積されたことを示す通知信号を受け付けたときに上記排出処理を実行する。また、排出駆動制御部１２０は、検知センサＳからの検知信号に基づいて、利用者が排出した媒体を取得したことを検知し、排出した媒体が利用者に取得されたことを示す通知信号を中央制御部１５に出力する。これにより、中央制御部１５は、当該利用者に対する料金収受処理が完了したことを把握することができる。
【００５７】
また、搬送路ユニット１３は、搬送路ユニット制御部１３０を有する。
搬送路ユニット制御部１３０は、検知センサＳからの検知信号に応じて、各種ローラ（引き込み部１３２ａ、排出部１３２ｂ、送りローラ１３３）を回転させるべく駆動モータＭに駆動制御信号を出力する。
【００５８】
中央制御部１５は、各媒体処理ユニット制御部１００、識別制御部１１０、排出駆動制御部１２０及び搬送路ユニット制御部１３０と情報をやり取りして、媒体処理装置１全体の動作を制御する。
【００５９】
（中央制御部の処理フロー）
図８は、第１の実施形態に係る中央制御部の処理フローを示す図である。
以下、第１の実施形態に係る中央制御部１５が実施する処理について図８を参照しながら順を追って説明する。
図８に示すように、中央制御部１５は、最上流に位置する識別部１１の識別制御部１１０（検知センサＳ）からの通知信号に基づいて、利用者によって挿入口１４ａ（図２）を介して媒体が挿入されたか否かを判定する（ステップＳ０１）。媒体が挿入されない場合は、利用者から媒体が挿入されるまで待機する（ステップＳ０１：ＮＯ）。
一方、媒体が挿入口１４ａに挿入された場合、中央制御部１５は、識別制御部１１０に対して媒体の種類の識別処理を実行する旨の指令（識別指令信号）を出力する。中央制御部１５は、識別部１１の識別処理部１１１によって識別された媒体の種類を示す媒体識別情報を、識別制御部１１０から受け付けて取得する（ステップＳ０２）。
【００６０】
次に、中央制御部１５は、挿入された媒体が搬送可能となるように全体としての搬送経路Ｐ（図２）を確保する旨の指令（経路確保指令信号）を、各媒体処理ユニット１０の媒体処理ユニット制御部１００に出力する（ステップＳ０３）。経路確保指令信号を受け付けた媒体処理ユニット制御部１００は、挿入された媒体が搬送可能となるように搬送経路を確保する処理を実行する。例えば、ＥＴＣカード処理ユニット制御部１００ａは、経路確保指令信号を受け付けると、ＥＴＣカード処理部１０１ａが有する読み書き用ヘッダが搬送される媒体に接触しないように、当該読み書き用ヘッダを搬送路１０２から退避させる。経路確保指令信号を受け付けたクレジットカード処理ユニット制御部１００ｂ、プリペイドカード処理ユニット制御部１００ｄ及び回数券処理ユニット制御部１００ｅも同様の処理を行う。また、通行券処理ユニット制御部１００ｃは、通行券処理部１０１ｃが有する読み書き用ヘッダを退避させるとともに、搬送される媒体が回収用搬送路に案内されないように搬送路選択部を制御する。更に、領収書処理ユニット制御部１００ｆは、領収書処理部１０１ｆを制御して、カッターや領収書用紙等を搬送路１０２から退避させる。
以上のようにして、中央制御部１５は、挿入された媒体が搬送経路Ｐ（図２）の最上流から最下流まで搬送可能となるように搬送経路Ｐを確保する。
【００６１】
搬送経路Ｐが確保されると、中央制御部１５は、各媒体処理ユニット１０の媒体処理ユニット制御部１００等に対して、媒体を搬送させる旨の指令（搬送指令信号）を出力する（ステップＳ０４）。例えば、挿入された媒体がクレジットカードであった場合、中央制御部１５は、当該クレジットカードを処理するクレジットカード処理ユニット１０ｂ及びクレジットカード処理ユニット１０ｂよりも上流に位置するＥＴＣカード処理ユニット１０ａの媒体処理ユニット制御部１００に向けて搬送指令信号を出力する。
搬送指令信号を受け付けた各媒体処理ユニット制御部１００は、検知センサＳからの検知信号を受け付けながら駆動モータＭを駆動させて媒体を搬送させる。搬送指令信号を受け付けた各媒体処理ユニット制御部１００は、媒体の搬送を完了すると、搬送が完了した旨の通知信号を中央制御部１５に出力する。
【００６２】
媒体の搬送が完了すると、中央制御部１５は、媒体の種類に応じた所定の処理を実行する特定の媒体処理ユニット１０に対して、当該媒体を処理する旨の指令（媒体処理指令信号）を出力する（ステップＳ０５）。例えば、挿入された媒体がクレジットカードであった場合、中央制御部１５は、クレジットカード処理ユニット１０ｂのクレジットカード処理ユニット制御部１００ｂに向けて媒体処理指令信号を出力する。
媒体処理指令信号を受け付けた媒体処理ユニット制御部１００は、媒体処理部１０１を制御して媒体に対する所定の処理を実行させる。媒体処理指令信号を受け付けた媒体処理ユニット制御部１００は、媒体に対する処理を完了すると、当該処理が完了した旨の通知信号を中央制御部１５に出力する。
【００６３】
媒体に対する処理が完了すると、中央制御部１５は、各媒体処理ユニット１０の媒体処理ユニット制御部１００等に対して、搬送指令信号を出力する（ステップＳ０６）。例えば、媒体がクレジットカードであった場合、中央制御部１５は、クレジットカード処理ユニット１０ｂ、及び、クレジットカード処理ユニット１０ｂよりも下流に位置する通行券処理ユニット１０ｃ、プリペイドカード処理ユニット１０ｄ、回数券処理ユニット１０ｅ、領収書処理ユニット１０ｆ、紙幣処理ユニット１０ｇの各媒体処理ユニット制御部１００に向けて搬送指令信号を出力する。これにより、ステップＳ０５で処理が施されたクレジットカードは、最下流に位置する排出駆動部１２（図６（ａ））まで搬送され、媒体載置台１２１（図６（ａ））の上に置かれる。
なお、媒体が通行券であって当該通行券に対する処理により利用者への返却が不要と判断された場合は、通行券処理部１０１ｃは、上記搬送路選択部を制御して通行券を回収する。この場合、中央制御部１５は、搬送指令信号を出力しないでステップＳ０６を終了する。
【００６４】
処理された媒体の排出駆動部１２への搬送が完了すると、中央制御部１５は、ステップＳ０５における媒体に対する処理に基づいて、料金収受処理が完了したか否かを判定する（ステップＳ０７）。具体的には、中央制御部１５は、まだクレジットカードや紙幣等によって料金の支払がなされていない場合、又は、支払いが成されても領収書や釣銭の搬送が完了していない場合は、料金収受処理が完了していないと判定する（ステップＳ０７：ＮＯ）。一方、中央制御部１５は、料金が支払われており、かつ、領収書や釣銭等の搬送も完了している場合は、料金収受処理が完了したと判定する（ステップＳ０７：ＹＥＳ）。
【００６５】
料金収受処理が完了していない場合（ステップＳ０７：ＮＯ）、中央制御部１５は、完了していない処理が領収書の排出処理、又は、釣銭の排出処理であるか否かを判定する（ステップＳ０８）。完了していない処理が領収書の排出処理、又は、釣銭の排出処理であった場合（ステップＳ０８：ＹＥＳ）、中央制御部１５は、ステップＳ０５に戻って、領収書処理ユニット制御部１００ｆ、又は、紙幣処理ユニット制御部１００ｇに向けて、媒体処理指令信号を出力する。これにより、領収書の印字及び排出処理、又は、釣銭の額に応じた紙幣の排出処理が実行される。一方、完了していない処理が領収書の排出処理、又は、釣銭の排出処理以外の処理であった場合（ステップＳ０８：ＮＯ）、中央制御部１５は、ステップＳ０１に戻って、利用者から他の媒体（通行券に続くクレジットカード、紙幣等）の挿入を受け付けながら待機する。
【００６６】
料金収受処理が完了した場合（ステップＳ０７：ＹＥＳ）、中央制御部１５は、排出駆動制御部１２０に向けて、蓄積された排出駆動を開始する旨の指令（排出指令信号）を出力する（ステップＳ０９）。当該排出指令信号を受け付けた排出駆動制御部１２０は、駆動モータＭを駆動させ、蓄積された媒体を、排出口１４ｂ（図２）を通じて外部に排出させる（図６（ｂ）参照）。
排出駆動制御部１２０は、排出した媒体を利用者が取得したことを、検知センサＳ等を通じて検知すると、利用者が排出した媒体を取得した旨の通知信号を中央制御部１５に出力する。中央制御部１５は、排出駆動制御部１２０から上記通知信号を受け付けると、利用者に対する料金収受処理が完了したことを把握し、一連の処理を終了する（ここで、次の利用者への対応のために、ステップＳ０１に戻ってもよい）。
【００６７】
（作用効果）
第１の実施形態に係る媒体処理装置１によれば、カードまたは券である複数種類の媒体を挿入する挿入口１４ａ、及び、複数種類の媒体を排出する排出口１４ｂがそれぞれ一つずつに統一されている。これにより、利用者は、媒体をいずれの挿入口に挿入すればよいかを迷わなくて済み、また、複数の媒体を異なる排出口から逐次取得する必要もなくなるため、料金自動収受機としての利便性が向上する。
【００６８】
また、既存の媒体処理装置においては、例えば、搬送経路Ｐに分岐路を設け、媒体の種類別に異なる搬送経路Ｐを設定することで、当該媒体を対応する媒体処理部まで搬送する態様としている。これに対し、本実施形態に係る媒体処理装置１は、特定の種類の媒体に対する処理を実行する媒体処理ユニット１０の各々が、搬送される媒体を受け渡し可能に、直列に連結されている（図２参照）。このようにすることで、挿入口１４ａから排出口１４ｂまでを一続きに結ぶ一本の搬送経路Ｐ上で、各種媒体に対応する全ての処理が実行可能となる。これにより、分岐路及び分岐路を駆動する駆動機構を排することができ、媒体処理装置１の全体の構成が簡素化し、省スペース化を実現する。また、分岐路を駆動するための駆動機構が排されることで、駆動モータ等の部品点数を減らすことができるので、装置全体の保守性及び信頼性を高めることができる。
【００６９】
更に、本実施形態に係る媒体処理ユニット１０によれば、上流に位置する媒体処理ユニット１０と、下流に位置する媒体処理ユニット１０と、を連結する連結部１０Ｂの連結部分における形状（凸型ガイドＲ１、凹型ガイドＲ２の形状（図３））が統一されている。
これにより、媒体処理装置１の組立作業者は、当該媒体処理装置１を運用する運用先のニーズに合わせて、連結する媒体処理ユニット１０の種類や数を、所望に変更することができる。例えば、媒体処理装置１が設置される料金収受施設の料金体系等に基づいて、必要最小限の媒体処理ユニット１０のみを媒体処理装置１に組み込むことができる。このようにすることで、装置全体としての部品点数を削減し、低コスト化、高信頼性化を図ることができる。また、特定の媒体処理ユニット１０が故障した場合において、当該故障した媒体処理ユニット１０を代替品に取り替えるだけで故障を解消することができるので、装置の保守性も向上する。
また、本実施形態に係る媒体処理ユニット１０によれば、媒体処理ユニット１０を連結する順番も所望に変更することができる。ここで、組立作業者は、例えば、設置しようとする料金収受施設において使用頻度の高い媒体に対応する媒体処理ユニット１０を、開口部１４から近い位置となるように連結する。そして、当該使用頻度の高い媒体に対応する媒体処理ユニット１０に対しては、往復搬送方式（媒体を挿入口１４ａから引き込み、処理完了後に逆搬送し、同じ挿入口１４ａから排出する搬送方式）を採用する。このようにすることで、当該使用頻度の媒体を搬送経路の奥まで搬送する必要がなくなり、処理の高速化を図ることができる。
【００７０】
また、本実施形態に係る媒体処理装置１は、挿入された媒体の種類を識別する識別部１１を備えている。これにより、挿入された媒体を処理可能か否か、を各媒体処理ユニット１０の各々が個別に判定する必要がなくなるので、挿入から排出までに係る時間を短縮することができる。
【００７１】
また、本実施形態に係る排出駆動部１２は、排出する複数種類の媒体Ｑを重ねて蓄積するとともに、当該重ねて蓄積された複数の媒体Ｑを重ねた状態のまま排出口１４ｂから排出する。これにより、排出口１４ｂから複数の媒体が重なった状態で排出されるので、利用者は一度にまとめて当該複数の媒体を取得することができる。したがって、料金自動収受機としての利便性が向上する。
【００７２】
（第１の実施形態の変形例）
図９、図１０は、第１の実施形態の変形例に係る媒体処理装置の構造を示す第１の図、第２の図である。
上述の媒体処理装置１の構造は、上述の態様に限定されず、例えば、以下のようにも変形可能である。
図９、図１０に示す媒体処理装置１は、いずれも前面１Ａにおいて開口部１４が一つのみ配置されている。この場合、開口部１４は、媒体を挿入する挿入口１４ａ、及び、媒体を排出する排出口１４ｂの両方の機能を有する。
【００７３】
図９に示す媒体処理装置１は、第１の実施形態と同様に、媒体処理ユニット１０及び搬送路ユニット１３が直列に連結されて、一続きの搬送経路Ｐが形成されている。ただし、開口部１４と連結されているのは、最上流に位置する媒体識別部１１のみである。
本変形例に係る媒体処理装置１の中央制御部１５（図７）は、開口部１４から媒体が挿入されたことを検知すると、まず、識別部１１を通じて媒体の種類を識別する。次に、中央制御部１５は、連結された媒体処理ユニット１０及び搬送路ユニット１３の各種ローラ（引き込み部１０２ａ、排出部１０２ｂ等）を順次回転させて、媒体を上流から下流へ搬送させる（図９に示す矢印Ｄ１）。
中央制御部１５は、媒体の種類に応じた何れかの媒体処理ユニット１０まで媒体を搬送させると、媒体処理ユニット１０の媒体処理部１０１を通じて所定の処理を実行させる。媒体処理ユニット１０において媒体に対する処理が完了すると、中央制御部１５は、各種ローラを逆回転させることで、処理が施された媒体を下流から上流へ逆搬送させる（図９に示す矢印Ｄ２）。これにより、媒体が同一の開口部１４から排出される。
以上のような媒体処理装置１によれば、媒体を挿入する挿入口１４ａ及び媒体が排出される排出口１４ｂを共有化することができるので、前面１Ａにおいて配置すべき開口部１４を一つに減らすことができる。
【００７４】
図１０に示す媒体処理装置１は、媒体処理ユニット１０、搬送路ユニット１３及び分岐用搬送路ユニット１３ａが連結されて、ループ状の搬送経路Ｐが形成されている。この場合も、開口部１４と連結されているのは、最上流に位置する媒体識別部１１のみである。
図１０に示す媒体処理装置１の中央制御部１５（図７）は、開口部１４から媒体が挿入されたことを検知すると、まず、識別部１１を通じて媒体の種類を識別する。次に、中央制御部１５は、媒体が直進する方向（方向ｄ１）に搬送されるように、分岐用搬送路ユニット１３ａの搬送路選択部Ｖを制御する。その後、中央制御部１５は、媒体処理ユニット１０、搬送路ユニット１３及び分岐用搬送路ユニット１３ａの各種ローラ（引き込み部１０２ａ、排出部１０２ｂ等）を順次回転させて、搬送経路Ｐに沿って媒体を搬送させる（図１０に示す矢印Ｄ３）。
中央制御部１５は、媒体の種類に応じた何れかの媒体処理ユニット１０まで媒体を搬送させると、媒体処理ユニット１０の媒体処理部１０１を通じて所定の処理を実行させる。媒体処理ユニット１０において媒体に対する処理が完了すると、中央制御部１５は、媒体が最上流の識別部１１に向かう方向（方向ｄ２）に搬送されるように、分岐用搬送路ユニット１３ａの搬送路選択部Ｖを制御する。その後、中央制御部１５は、媒体処理ユニット１０、搬送路ユニット１３及び分岐用搬送路ユニット１３ａの各種ローラを更に回転させて、媒体を搬送させる（図１０に示す矢印Ｄ３）。なお、この場合において、中央制御部１５は、識別部１１が有する各種ローラについては逆回転させる。
これにより、分岐用搬送路ユニット１３ａを経て、媒体が同一の開口部１４から排出される。
以上のような媒体処理装置１であっても、媒体を挿入する挿入口１４ａ及び媒体が排出される排出口１４ｂを共有化することができる。
【００７５】
図１１は、第１の実施形態の他の変形例に係る識別部の構造を示す図である。
図１１に示すように、本変形例に係る識別部１１は、識別処理部１１１の上流側に媒体分離部１１ａを備えている。
媒体分離部１１ａは、挿入口１４ａ（図２）及びスリットＴ１を通じて重ねて同時に挿入された複数の媒体の重なりを分離し、識別処理部１１１へ媒体を一つずつ排出する。
媒体分離部１１ａは、搬送路１１２の下側（−Ｚ方向側）に設けられた第１分離用ベルト１１４ａと、上側（＋Ｚ方向側）に設けられた第２分離用ベルト１１４ｂと、を有している。第１分離用ベルト１１４ａのベルト搬送面１１４ａ１と、第２分離用ベルト１１４ｂのベルト搬送面１１４ｂ１と、は、互いに接するように配されている。第１分離用ベルト１１４ａ、第２分離用ベルト１１４ｂは、互いに接するベルト搬送面が上流から下流（＋Ｙ方向から−Ｙ方向）に移動するように回転駆動する。
挿入口１４ａ及び引き込み部１１２ａを介して挿入された媒体は、第１分離用ベルト１１４ａのベルト搬送面１１４ａ１と、第２分離用ベルト１１４ｂのベルト搬送面１１４ｂ１と、の間に挟まれながら下流へと搬送される。
【００７６】
本実施形態に係る識別部１１の識別制御部１１０（図７）は、第１分離用ベルト１１４ａを駆動させる駆動モータＭと、第２分離用ベルト１１４ｂを駆動させる駆動モータＭと、に駆動制御信号を出力して、第１分離用ベルト１１４ａ及び第２分離用ベルト１１４ｂを駆動させる。ここで、識別制御部１１０は、第１分離用ベルト１１４ａの移動速度よりも第２分離用ベルト１１４ｂの移動速度の方が速くなるように駆動させる。このようにすることで、重なった状態で挿入された媒体のうちの下方側に配されて第１分離用ベルト１１４ａに接する媒体は、相対的に遅い速度で下流側に搬送される。また、重なった状態で挿入された媒体のうちの上方側に配されて第２分離用ベルト１１４ｂに接する媒体は、相対的に速い速度で下流側に搬送される。したがって、重なった状態で挿入された複数の媒体は、媒体分離部１１ａにおいて互いに異なる速度で下流側に搬送されることで、重なりが分離された状態で排出される。なお、識別制御部１１０は、媒体分離部１１ａから一枚ずつ排出される媒体を検知する度に媒体分離部１１ａの駆動を停止して、当該分離されて排出された一の媒体に対する処理が完了するまで待機するものとしてもよい。
【００７７】
本変形例に係る媒体処理装置１によれば、挿入口１４ａに挿入された媒体が重なっていた場合において、搬送経路Ｐ（図２）の最上流に位置する媒体分離部１１ａが媒体の重なりを解消して一枚ずつ排出する。これにより、媒体分離部１１ａの下流に位置する識別処理部１１１、及び、各種媒体処理ユニット１０、搬送路ユニット１３等は、媒体を一枚ずつ搬送して処理することができる。
以上、本変形例に係る媒体処理装置１によれば、利用者が複数の媒体を重なった状態のまま挿入口１４ａに挿入した場合であっても、媒体分離部１１ａにより媒体の重なりが分離されて搬送されるので、媒体同士の干渉や動作の不具合を起こすことなく料金収受処理を実行することができる。これにより、利用者は、挿入口１４ａに対し、複数の媒体をまとめて挿入できるため、利便性を一層向上させることができる。
【００７８】
また、上述の実施形態及び変形例に係る媒体処理装置１は、上流に配置された識別部１１が媒体の種類を識別した後、中央制御部１５が、当該媒体の搬送先等を最初に把握してから搬送制御等を行うものとして説明した（図８参照）。しかし、他の実施形態に係る媒体処理装置１は、上流において識別部１１を有さない態様としてもよい。
具体的には、本変形例に係る媒体処理装置１の各媒体処理ユニット１０は、自身に挿入された媒体が媒体処理部１０１で処理可能か否かを判定する判定部を有している。当該判定部は、例えば、識別処理部１１１と同等の態様であってよい。各媒体処理ユニット１０の媒体処理ユニット制御部１００は、上流から挿入された媒体が自ユニットの媒体処理部１０１で処理可能な媒体であった場合には、そのまま媒体処理部１０１に処理を実行させる。一方、上流から挿入された媒体が自ユニットの媒体処理部１０１で処理可能な媒体でなかった場合には、媒体処理ユニット制御部１００は、その媒体を下流の媒体処理ユニット１０へ搬送する。このように、各媒体処理ユニット１０は、挿入された媒体が、自ユニットの媒体処理部１０１で処理可能な媒体か否かを逐次判断し、処理できない媒体を下流へ搬送する。これにより、挿入された媒体は、各媒体処理ユニット１０により順次下流に搬送されながら、何れかの媒体処理ユニット１０において所定の処理が施される。
このようにすることで、最上流に識別部１１を設ける必要がなくなるので、装置全体の部品点数を減らし、装置の省スペース化、低コスト化を図ることができる。
【００７９】
また、上述の実施形態及び変形例に係る媒体処理装置１は、更に、挿入された複数の媒体を、各々に対応する各媒体処理ユニット１０において同時に処理を施してもよい。具体的には、例えば、中央制御部１５は、連結された各媒体処理ユニット１０から所定のＩＤ情報等を取得して、当該媒体処理ユニット１０が処理可能な媒体の種類及びその連結順序を把握する。中央制御部１５は、上記処理可能な媒体の種類及び連結順序の組み合わせの中で、予め規定された規則（同時処理可能規則）に基づいて、同時に処理可能な媒体の組み合わせを抽出する。例えば、ある媒体処理ユニット１０が対応する種類の媒体に対し所定の処理を実行している最中であっても、媒体処理装置１は、当該処理中の媒体処理ユニット１０よりも上流側に位置する媒体処理ユニット１０であれば、対応する媒体を処理することができる。このような組み合わせが示された情報に基づいて、中央制御部１５は、後に挿入された媒体が、先に挿入され、既に処理中の媒体と同時に処理可能な場合には、当該後に挿入された媒体に対しても搬送を行い、対応する媒体処理ユニット１０において処理を実行する。このようにすることで、複数の媒体が同時に処理されるので、利用者が料金収受に要する時間を短縮し、利便性を一層向上させることができる。
【００８０】
＜第２の実施形態＞
図１２は、第２の実施形態に係る媒体処理装置の構造及び機能構成を示す図である。
図１２（ａ）は、第２の実施形態に係る媒体処理装置１の構造を示している。また、図１２（ｂ）は、第２の実施形態に係る媒体処理装置１の機能構成を示している。
図１２（ａ）に示すように、媒体処理装置１は、第１の実施形態に係る媒体処理装置１の構成に加え、更に、シャッター部２０と、表示部３０と、を備えている。
シャッター部２０は、挿入口１４ａに設けられたシャッターＫを駆動して、挿入口１４ａを開閉可能とする。シャッター部２０は、駆動モータＭを通じてシャッターＫを上下方向に駆動する。シャッターＫにより挿入口１４ａが閉じられている間、利用者は、挿入口１４ａに媒体を挿入することができなくなる。
表示部３０は、いわゆるタッチセンサ式のディスプレイモニタであって、例えば、液晶ディスプレイ、有機ＥＬディスプレイ等である。表示部３０は、利用者に対し、料金収受処理に関する情報を提示するとともに、利用者のタッチ操作入力を受け付ける。表示部３０は、例えば、媒体処理装置１の前面１Ａにおける挿入口１４ａの上方（＋Ｚ方向）に配置される。表示部３０の表示画面であるモニタＥは、前面１Ａの面内に設けられ、利用者とって容易に視認できるように配置されている。また、タッチセンサＦは、モニタＥの表面全体を覆うように配されている。
【００８１】
図１２（ｂ）に示すように、シャッター部２０は、シャッター制御部２００を有する。
シャッター制御部２００は、中央制御部１５からシャッターを開放する開司令信号及び閉塞する閉指令信号を受け付けるとともに、各指令信号に応じた駆動制御信号を駆動モータＭに出力する。シャッター制御部２００が出力する駆動制御信号に基づいて駆動モータＭが駆動することで、シャッターＫが上下方向に駆動し、挿入口１４ａを開放又は閉塞する。
【００８２】
また、表示部３０は、表示制御部３００を有する。
表示制御部３００は、中央制御部１５から所定の情報をモニタＥに表示するための表示指令信号を受け付けて、当該表示指令信号に応じた内容の情報をモニタＥに表示させる。表示制御部３００がモニタＥに表示させる具体的な情報については後述する。
また、表示制御部３００は、モニタＥ表面に配されたタッチセンサＦから、利用者のタッチ操作に応じたタッチ入力信号を受け付ける。表示制御部３００は、入力されたタッチ入力信号に基づいて、モニタＥに表示した情報（選択肢）のうち、利用者が選択した情報を中央制御部１５に通知する。
以上のような構成により、表示部３０は、タッチセンサＦを介して利用者から入力される情報に基づいて特定される媒体の挿入順序を、モニタＥを通じて通知する通知部として機能する。
【００８３】
図１３は、第２の実施形態に係る中央制御部の処理フローを示す図である。
また、図１４は、第２の実施形態に係る表示部がモニタに表示させる情報を示す図である。
以下、第２の実施形態に係る中央制御部１５（図１２（ｂ））による料金支払い時の処理について、図１３及び図１４を参照しながら順を追って説明する。
なお、図１３に示す処理フローは、例えば、中央制御部１５が、車線Ｌにおいて車両Ａ（図１）の停止を検知したタイミングから開始される。また、この時点では、シャッター部２０（図１２（ａ））は、挿入口１４ａを閉塞している。
【００８４】
中央制御部１５は、車両Ａの進入を検知し、かつ、先行車が既に退出していることを検知すると、料金支払い時の処理フローに合わせて、利用者に対し、表示部３０（モニタＥ（図１２（ａ））を介して通知する。
具体的には、まず、中央制御部１５は、利用者に対し、「ＥＴＣカード」で支払いをするか、「通行券」を用いて支払いをするか、を問い合わせる（ステップＳ１１）。このとき、中央制御部１５は、表示制御部３００（図１２（ｂ））に向けて、「ＥＴＣカード」及び「通行券」の何れか一方を選択する旨の表示指令信号を出力する。当該表示指令信号を受け付けると、表示制御部３００は、「ＥＴＣカード」、「通行券」のいずれで支払いを行うかを問い合わせる表示画面α１（図１４（ａ））をモニタＥに表示させる。
【００８５】
利用者が、ＥＴＣカードを用いて支払うことを希望する場合、支払のために必要な情報（選択肢）は他にはない。そこで、表示制御部３００から「ＥＴＣカード」が選択（タッチ）されたことが通知された場合（ステップＳ１１：ＥＴＣカード）、中央制御部１５は、表示制御部３００に向けて、ＥＴＣカードの挿入を促す旨の表示指令信号を出力する（ステップＳ１２）。当該表示指令信号を受け付けると、表示制御部３００は、利用者にＥＴＣカードの挿入を促すための表示画面α２（図１４（ｂ））をモニタＥに表示させる。同時に、中央制御部１５は、シャッター制御部２００に向けて開司令信号を出力する。開司令信号を受け付けると、シャッター制御部２００は、当該開司令信号に応じた駆動制御信号を出力してシャッターＫ（図１２（ａ））を駆動させ、挿入口１４ａを開放させる。これにより、利用者は、媒体（ＥＴＣカード）を挿入口１４ａに挿入することができるようになる。
なお、利用者が誤って「ＥＴＣカード」を選択してしまった場合において直前のステップに戻ることができるように、表示制御部３００は、表示画面α２に「戻る」の表示を付しておく（他のステップにおいても同様とする）。
【００８６】
次に、中央制御部１５は、開放された挿入口１４ａから媒体の挿入を受け付けると、識別部１１による識別処理を通じて、挿入された媒体の種類がＥＴＣカードか否かを判定する（ステップＳ１３）。挿入された媒体がＥＴＣカードであった場合（ステップＳ１３：ＹＥＳ）、中央制御部１５は、ＥＴＣカード処理ユニット１０ａを通じて料金収受処理を実行する（ステップＳ１４）。同時に、中央制御部１５は、シャッター制御部２００に向けて閉司令信号を出力する。閉司令信号を受け付けると、シャッター制御部２００は、当該開司令信号に応じた駆動制御信号を出力してシャッターＫを駆動させ、挿入口１４ａを閉塞させる。これにより、ＥＴＣカード処理ユニット１０ａがＥＴＣカードに対して処理を行っている最中に、利用者が他の媒体を誤って挿入してしまうことを防止することができる。料金収受処理が完了すると、中央制御部１５は、料金支払いの処理を終了する。
【００８７】
一方、挿入された媒体がＥＴＣカードでなかった場合（ステップＳ１３：ＮＯ）、中央制御部１５は、挿入された媒体を排出口１４ｂまで搬送させて排出させる。同時に、中央制御部１５は、表示制御部３００に向けて、異常内容（誤った媒体が挿入された旨）の表示指令信号を出力する（ステップＳ１５）。当該表示指令信号を受け付けると、表示制御部３００は、ＥＴＣカード以外の媒体が挿入されたことを通知する表示画面α３（図１４（ｃ））をモニタＥに表示させる。ここで、挿入された媒体の種類が識別部１１にて識別された場合には、中央制御部１５は、その媒体の種類を表示画面α３に表示させて、利用者に通知してもよい。例えば、利用者がＥＴＣカードではなく通行券を挿入した場合において、中央制御部１５は、表示画面α３のように、当該利用者に対して「通行券」が挿入されたことを通知する。
【００８８】
一方、表示制御部３００から、利用者により「通行券」が選択されたことが通知されると（ステップＳ１１：通行券）、中央制御部１５は、表示制御部３００に向けて、通行券を利用する場合における料金の支払い方法について、更に利用者に選択を促すための表示指令信号を出力する（ステップＳ１６）。当該表示指令信号を受け付けると、表示制御部３００は、通行券による支払時における各種選択肢を表示する表示画面α４（図１４（ｄ））をモニタＥに表示させる。具体的には、中央制御部１５は、表示画面α４を通じて、支払い方法として「現金」（紙幣及び硬貨による支払）、「プリペイドカード」、「クレジットカード」の何れを用いるか、及び、「乗継券」があるか否かの選択を促す。また、中央制御部１５は、表示画面α４を通じて、身体障害者等に基づく割引の適用を受けるか否か、の選択を促す（ステップＳ１７）。
この場合において、表示制御部３００は、支払方法の選択（現金、クレジットカード、プリペイドカードの選択）については、何れか一つのみを選択可能とするように制御する。また、乗継券の有無、割引適用の有無については、支払方法とは別に、それぞれ独立して選択可能となるように制御する。このとき、表示制御部３００は、タッチされた選択肢の色を変える等して、利用者が選択した選択肢を判別できるようにしてもよい。また、表示制御部３００は、利用者が所望する選択肢が選択された後において「進む」ボタンがタッチされた場合に、次のステップに進むように制御する。
【００８９】
利用者が身体障害者割引の適用を受ける場合には、収受員等の係員に対し証明書の提示等が求められる。そこで、中央制御部１５は、表示制御部３００から「割引適用」が選択（タッチ）されたことが通知された場合（ステップＳ１７：ＹＥＳ）、係員の呼び出し処理を実行する（ステップＳ１８）。係員は、中央制御部１５による呼び出し処理に応じて割引適用可能な利用者か否かを判断するとともに、当該利用者の支払額に対して割引の適用処理を実施する。
【００９０】
表示制御部３００から「割引適用」が選択されなかった場合（ステップＳ１７：ＮＯ）、又は、ステップＳ１８において係員による割引の適用がなされた後、中央制御部１５は、利用者に対し、各種媒体の挿入を促す。ここで、中央制御部１５は、ステップＳ１６にて選択された支払方法（及び、乗継券の有無）に基づいて特定される挿入順序を提示するための表示指令信号を出力する（ステップＳ１９）。当該表示指令信号を受け付けると、表示制御部３００は、媒体の挿入順序を提示する表示画面α５（図１４（ｅ））をモニタＥに表示させる。例えば、表示画面α４にて、利用者が、「クレジットカードによる支払」及び「乗継券あり」を選択した場合、表示制御部３００は、「通行券」、「乗継券」、「クレジットカード」の順で挿入する旨を促す（表示画面α５）。
同時に、中央制御部１５は、シャッター制御部２００に向けて開司令信号を出力する。これにより、シャッター制御部２００が挿入口１４ａを開放させ、利用者は、媒体（ＥＴＣカード）を挿入口１４ａに挿入することができるようになる。
【００９１】
次に、中央制御部１５は、挿入口１４ａから順次挿入される媒体の種類が、表示画面α５に示す挿入順序別に示す媒体の種類のそれぞれと一致しているか否かを判定する（ステップＳ２０）。各種媒体が正しい順序で挿入された場合（ステップＳ２０：ＹＥＳ）、中央制御部１５は、利用者が選択した媒体（上述の例では、クレジットカード）に対応する媒体処理ユニット１０（クレジットカード処理ユニット１０ｂ）を通じて料金収受処理を実行する（ステップＳ２１）。同時に、中央制御部１５は、シャッター制御部２００に向けて閉司令信号を出力し、挿入口１４ａを閉塞させる。これにより、媒体処理ユニット１０が各種媒体に対して処理を行っている最中に、利用者が他の媒体を誤って挿入してしまうことを防止することができる。料金収受処理が完了すると、中央制御部１５は、料金支払いの処理を終了する。
一方、挿入された媒体の種類が、ステップＳ１９において挿入順序別に示した媒体の種類と一致しなかった場合（ステップＳ１３：ＮＯ）、中央制御部１５は、挿入された媒体を排出口１４ｂまで搬送させて排出させる。同時に、中央制御部１５は、表示制御部３００に向けて、異常内容（誤った媒体が挿入された旨）の表示指令信号を出力する（ステップＳ２２）。
【００９２】
（作用効果）
第１の実施形態に係る媒体処理装置１のように、媒体の挿入口が統一されると、利用者は、複数の媒体のうちどの媒体をどのような順序で挿入すればよいかが分からず、料金収受処理に時間がかかってしまう場合が想定される。
これに対し、第２の実施形態に係る媒体処理装置１は、図１３に示す一連の処理に基づいて、利用者に対し、表示部３０を通じて支払い処理の手順を適切に提示する。また、媒体処理装置１は、シャッター部２０によるシャッターＫの開閉を通じて、利用者に対し、媒体を挿入すべきタイミングを適切に案内するとともに、誤ったタイミングで媒体が挿入されることを防止する。これにより、利用者は、挿入すべき媒体の種類や挿入すべきタイミングについて迷うことなく料金収受の手続きを進めることができ、利便性を向上させることができる。
【００９３】
なお、第２の実施形態に係る媒体処理装置１は、上述した態様の他、種々の変更が可能である。例えば、表示部３０のモニタＥがタッチセンサ式のディスプレイモニタであるものとして説明したが、表示部３０は、タッチセンサを有さないディスプレイモニタと、他の入力手段（押しボタン等）を有する態様であってもよい。
また、中央制御部１５が実行する処理フローは、図１３に示すものに限定されない。例えば、中央制御部１５は、単に、「ＥＴＣカード→通行券→乗継券→クレジットカード→現金（紙幣）→プリペイドカード」等と、予め一つの挿入手順を規定するものであってもよい。この場合、中央制御部１５は、手順別に当該手順をスキップ可能とする「スキップボタン」を用意しておく。これにより、利用者は、指定される媒体の挿入を希望しないステップにおいては「スキップボタン」を逐次タッチ（押下）しながら料金収受処理を進めることができる。
また、挿入された媒体についての異常内容を表示する場合（ステップＳ１５、Ｓ２２等）において、中央制御部１５は、更に、裏表を逆にして挿入された場合や券詰まりが発生した場合等の異常を通知してもよい。例えば、中央制御部１５は、媒体が裏表逆に挿入された場合には「表を上にして挿入してください」等の指示が記載された表示画面を、券詰まりが発生した場合には「係員を呼び出してください」等の指示が記載された表示画面を表示させる。
また、上述の媒体処理装置１は、通知部として、視覚的に媒体の挿入順序を通知する表示部３０を備えるものとして説明したが、他の実施形態に係る媒体処理装置１は、通知部として、媒体の挿入順序を音声で通知する報知部を備えていてもよい。
【００９４】
（識別部の具体的態様について）
図１５は、各実施形態に係る識別処理部の構造の一例を示す図である。
また、図１６〜図１８は、各実施形態に係る識別処理部の構造の変形例を示す第１から第３の図である。
以下、図１５〜図１８を参照しながら、上述した各実施形態に係る識別処理部１１１の具体的な態様について説明する。
図１５に示すように、識別部１１の識別処理部１１１は、投光器１１１ａと、受光器１１１ｂと、を有している。
【００９５】
投光器１１１ａは、媒体Ｑが通過する搬送面Ｎの上方（＋Ｚ方向）に配され、下方（−Ｚ方向）に向けて光線Ｗを投光する。投光器１１１ａは、投光する光線Ｗが搬送面Ｎを通過する媒体Ｑの表面に投光されるように配される。
受光器１１１ｂは、搬送面Ｎ内において、投光器１１１ａが投光する光線Ｗを受光可能な位置に配されている。また、受光器１１１ｂは、受光する光線Ｗの強度（光の強さの度合い）を検出可能であり、受光した光線Ｗの強度に応じた光強度検出信号を識別制御部１１０（図７）に出力する。
【００９６】
ここで、プラスチック製で厚みがあるカード型媒体（ＥＴＣカード、クレジットカード、プリペイドカード）が搬送面Ｎを通過した場合、投光器１１１ａから受光器１１１ｂに向けて投光される光線Ｗは、当該カード型媒体によって完全に遮光されるため、受光器１１１ｂが受光する光線Ｗの強度は大きく低下する。
一方、紙製で薄い紙媒体（通行券、回数券）が搬送面Ｎを通過した場合、光線Ｗのうちの一部の成分が当該紙媒体を透過して受光器１１１ｂに受光される。したがって、紙媒体が通過する場合において受光器１１１ｂが受光する光線Ｗの強度は、カード型媒体が通過した場合において受光する光線Ｗの強度よりも高いものとなる。
以上のように、識別部１１は、受光器１１１ｂが受光する光の強度が媒体の種類に応じて変化するので、受光器１１１ｂが受光する光線Ｗの強度に基づいて、挿入された媒体Ｑが、カード型媒体か、紙媒体か、を判別することができる。
【００９７】
なお、識別処理部１１１は、以下のようにも変形可能である。
例えば、図１６に示す識別処理部１１１は、投光器１１１ａと、２つの受光器１１１ｃ、１１１ｄと、を有している。
投光器１１１ａは、媒体Ｑが通過する搬送面Ｎの上方（＋Ｚ方向）に配され、下方（−Ｚ方向）に向けて光線Ｗを投光する。投光器１１１ａは、投光する光線Ｗが搬送面Ｎを通過する媒体Ｑの表面に対し、傾斜して投光されるように配される。
受光器１１１ｃは、搬送面Ｎの上方において、投光器１１１ａが投光した光線Ｗのうち媒体Ｑの表面で正反射した反射光（正反射光Ｗａ）を受光可能な位置に配されている。
また、受光器１１１ｄは、搬送面Ｎの上方において、投光器１１１ａが投光した光線Ｗのうち媒体Ｑの表面で拡散反射した反射光（拡散反射光Ｗｂ）を受光可能な位置に配されている。
なお、受光器１１１ｃ及び受光器１１１ｄは、共に、受光する光線Ｗの強度を検出可能であり、受光した正反射光Ｗａ又は拡散反射光Ｗｂの強度に応じた光強度検出信号を識別制御部１１０に出力する。受光器１１１ｃが受光した正反射光Ｗａの強度を強度Ｐｗ１とし、受光器１１１ｄが受光した拡散反射光Ｗｂの強度を強度Ｐｗ２とする。
【００９８】
ここで、光沢のある表面を有するカード型媒体Ｑが搬送面Ｎを通過した場合、投光器１１１ａから投光された光線Ｗは、カード型媒体Ｑの表面で正反射し、正反射光Ｗａとして受光器１１１ｃに投光される。したがって、受光器１１１ｃが検出する強度Ｐｗ１は、相対的に大きな値となる。これに対し、光沢のある表面においては、光線Ｗから拡散反射光Ｗｂは生じにくいため、受光器１１１ｄが検出する強度Ｐｗ２は、相対的に小さな値となる。これにより、カード型媒体Ｑが搬送面Ｎを通過した場合、正反射光Ｗａに対する拡散反射光Ｗｂの強度比（Ｐｗ２／Ｐｗ１）の値は小さくなる。
【００９９】
一方、光沢のない表面を有する紙媒体Ｑが搬送面Ｎを通過した場合、投光器１１１ａから投光された光線Ｗは、紙媒体Ｑの表面で乱反射するため、紙媒体Ｑの表面から生じる正反射光Ｗａの強度及び拡散反射光Ｗｂの強度は、ほぼ同等となる。そうすると、受光器１１１ｃが検出する強度Ｐｗ１と、受光器１１１ｄが検出する強度Ｐｗ２と、が同等の値となり、正反射光Ｗａに対する拡散反射光Ｗｂの強度比（Ｐｗ２／Ｐｗ１）は、カード型媒体Ｑに比べて大きな値を示す。
【０１００】
以上のように、識別部１１は、受光器１１１ｃ、受光器１１１ｄの各々が受光する正反射光Ｗａ、拡散反射光Ｗｂの強度比に基づいて、挿入された媒体が、カード型媒体か、紙媒体か、を判別することができる。
ここで、例えば、正反射光Ｗａの強度のみを用いてカード型媒体か否かを判断する場合、カード型媒体の表面の一部にキズ等があった場合に正反射光Ｗａの強度が落ちて正しく判別できなくなる場合が想定される。しかし、本変形例に係る識別処理部１１１によれば、正反射光Ｗａと拡散反射光Ｗｂとの強度比を用いて判断することで、カード型媒体の表面の一部にキズ等があった場合であっても精度よく媒体の種類を判別することができる。
【０１０１】
なお、図１５、図１６に示した識別処理部１１１の態様は、一例であって、上述の内容に限定されない。例えば、識別処理部１１１は、図１５に示す受光器１１１ｂと、図１６に示す受光器１１１ｃ、１１１ｄと、を組み合わせた態様としてもよい。
このようにすることで、識別処理部１１１は、正反射光、拡散反射光及び透過光の全てを検出することができるので、一層精度よく媒体の種類を判別することができる。
【０１０２】
更に、識別処理部１１１は、以下のようにも変形可能である。
図１７（ａ）に示すように、本変形例に係る識別処理部１１１は、複数の検出ピンＪ（媒体検出部）を有している。検出ピンＪは、搬送面Ｎ上において媒体Ｑの搬送方向（−Ｙ方向）と交差する方向（±Ｘ方向、以下、「搬送幅方向」とも記載）に一定間隔で並べて複数配置される。本変形例に係る識別制御部１１０（図７）は、識別処理部１１１の各検出ピンＪから出力される検出信号に基づいて搬送面Ｎを通過する媒体Ｑの大きさ（券幅、券長）を特定する。
【０１０３】
検出ピンＪは、搬送面Ｎ上において、上方から下方にかけて延在する円柱状の部材である。各検出ピンＪは、上下方向に移動可能に設けられており、媒体Ｑが搬送されていない間は、延在方向の先端（先端部ｊ１）において搬送面Ｎと接している。先端部ｊ１は、上方から下方にかけて先細るように、略円錐状に形成されている。
また、各検出ピンＪは、その延在方向の基端（基端部ｊ２）に変位センサＣを有している。各変位センサＣは、各検出ピンＪの上下方向における位置の微小変動の有無に応じた検出信号を出力する。
【０１０４】
ここで、搬送幅方向に並べて配置された複数の検出ピンＪに対し、媒体Ｑが搬送方向に搬送された場合を、図１７（ｂ）を参照しながら説明する。
上述したように、検出ピンＪの先端部ｊ１は、上方から下方にかけて先細るように形成されながら搬送面Ｎに接している。この搬送面Ｎ上を搬送方向（横方向）に移動する媒体Ｑが検出ピンＪに接触すると、媒体Ｑの搬送方向前方の券端が先端部ｊ１を横方向に押すため、検出ピンＪを上方に押し上げる力が加わる。その結果、検出ピンＪは、媒体Ｑの厚さΔＨだけ上方に移動する（図１７（ｂ）参照）。
【０１０５】
厚さΔＨだけ上方に押し上げられた検出ピンＪに対応する変位センサＣは、微小幅（厚さΔＨ）だけ検出ピンＪが上方に移動したことを検出し、所定の検出信号を識別制御部１１０に出力する。識別制御部１１０は、各検出ピンＪから受け付けた検出信号に基づいて、当該検出信号を出力した検出ピンＪが配される位置及び範囲を特定する。これにより、識別制御部１１０は、媒体Ｑの券幅（券幅ｈ１）を特定することができる。
【０１０６】
また、識別制御部１１０は、各変位センサＣから検出信号が出力される時間を取得する。ここで、各変位センサＣから検出信号が出力される時間は、媒体Ｑの搬送方向前方の券端が検出ピンＪの配される地点に到達してから、媒体Ｑの搬送方向後方の券端が検出ピンＪの配される地点から離れるまでの通過時間に一致する。識別制御部１１０は、媒体Ｑの搬送速度が一定であることを前提として、上記通過時間に基づいて、媒体Ｑの券長を特定することができる。
【０１０７】
以上のように、通過する媒体Ｑの大きさに応じて、検出ピンＪの各々から変位センサＣを介して出力される検出信号の数や時間が変化するので、当該検出信号に基づいて媒体の大きさを特定することができる。これにより、識別制御部１１０は、検出ピンＪを通じて媒体Ｑの大きさを特定し、当該大きさの相違から媒体Ｑの種類を特定することができる。
具体的には、識別制御部１１０は、予め規定された媒体Ｑの大きさ（券幅、券長及び券厚）と媒体Ｑの種類との対応関係に基づいて媒体Ｑの種類を特定する。このとき、特定した媒体Ｑの大きさが、上記予め規定された媒体Ｑの大きさの何れにも適合しない場合には、識別制御部１１０は、挿入された媒体Ｑを「異物」と判断して、直ちに排出処理及び所定の注意、警告表示処理を実施してもよい。
【０１０８】
また、本変形例に係る識別処理部１１１は、上述の検出ピンＪが金属で形成される。
図１７（ｃ）に示すように、識別処理部１１１は、金属で形成された各検出ピンＪのうち隣接する検出ピンＪ同士が、金属検出用回路Ｇに接続されている。金属検出用回路Ｇは、接続された一対の検出ピンＪの間に微小電圧を印加し、当該一対の検出ピンＪの間に流れる電流を取得する。金属検出用回路Ｇは、一対の検出ピンＪの各々に設けられる。
【０１０９】
ここで、図１７（ｃ）に示すように、媒体ＱがＥＴＣカード又はクレジットカードであった場合、媒体Ｑの表面の一部には、所定の情報の読み書きに用いられる金属端子ｑ１が付されている。一対の検出ピンＪが金属端子ｑ１と接触すると、当該一対の検出ピンＪが媒体Ｑの金属端子ｑ１によって短絡される。そうすると、金属検出用回路Ｇにおいて微小電圧が印加された検出ピンＪの間に流れる電流が上昇する。金属検出用回路Ｇは、当該電流が上昇したことに応じて所定の検出信号を識別制御部１１０に向けて出力する。
これにより、識別制御部１１０は、検出ピンＪの各々から金属検出用回路Ｇを介して出力される検出信号に応じて、媒体Ｑに金属端子ｑ１が付されているか否か、即ち、媒体Ｑが、ＥＴＣカード若しくはクレジットカードか、又は、それ以外の媒体か、を特定することができる。
一般に、プリペイドカードは、ＥＴＣカードやクレジットカードと同サイズのカード型媒体である。しかし、プリペイドカードは、ＥＴＣカード（クレジットカード）と異なり、磁気ストライプで情報を記録する方式のため、媒体の表面に金属端子ｑ１を有する態様となっていない。そこで、識別処理部１１１は、上述の金属検出用回路Ｇからの検出信号により、媒体の大きさによって切り分けることができないＥＴＣカード（クレジットカード）と、プリペイドカードと、を切り分けることができる。
なお、検出ピンＪは、全体が金属で形成される態様の他、少なくとも、金属端子ｑ１の表面と接する先端部ｊ１のみが金属（導電体）で形成され、当該先端部ｊ１に配置される金属が金属検出用回路Ｇまで引き回される態様であってもよい。
【０１１０】
なお、上述の金属検出用回路Ｇを有する識別処理部１１１は、媒体Ｑ（ＥＴＣカード、クレジットカード）の表裏が正しい向きで挿入されたか否かを判別する手段として用いてもよい。
また、ＥＴＣカード、クレジットカードの金属端子ｑ１を検出する手段には、上述の金属検出用回路Ｇを用いる手段以外の手段を用いてもよい。例えば、非接触で金属の有無を検出可能な検出コイルを有する近接センサを、搬送面Ｎ等に設ける態様としてもよい。このようにすることで、金属端子ｑ１を非接触で検出することができるため、ＥＴＣカード、クレジットカードの金属端子ｑ１に接続される記録素子に電気的な負荷を与えることを防止することができる。
【０１１１】
更に、識別処理部１１１は、以下のようにも変形可能である。
図１８（ａ）に示すように、本変形例に係る識別処理部１１１は、投光器１１１ａと、受光器１１１ｂと、複数の光ファイバ１１１ｅと、を有している。
投光器１１１ａは、媒体Ｑが通過する搬送面Ｎの上方（＋Ｚ方向）に配され、下方（−Ｚ方向）に向けて、搬送幅方向に広がる光線Ｗを投光する。
複数の光ファイバ１１１ｅは、一方の先端に先端面Ｏ１（媒体検出部）を有する。光ファイバ１１１ｅの先端面Ｏ１は、搬送面Ｎ上において搬送幅方向に一定間隔で並べて複数配置される。投光器１１１ａから投光された光線Ｗは、光ファイバ１１１ｅの先端面Ｏ１を通じて光ファイバ１１１ｅ内に入射する。光ファイバ１１１ｅの先端面Ｏ１から入射した光は、各光ファイバ１１１ｅの内部を伝送し、検出信号として受光器１１１ｂに出力される。
受光器１１１ｂは、全ての光ファイバ１１１ｅを通じて先端面Ｏ１から送られた光の強度の総量に応じた光強度検出信号を識別制御部１１０に出力する。
【０１１２】
ここで、搬送幅方向に並べて配置された複数の先端面Ｏ１に対し、媒体Ｑが搬送方向に搬送された場合を、図１８（ｂ）を参照しながら説明する。
図１８（ｂ）に示すように、媒体Ｑが搬送面Ｎ上を通過する場合、当該媒体Ｑは、搬送幅方向に並べて配置された先端面Ｏ１のうちの一部の直上を通過する。即ち、投光器１１１ａが投光する光線Ｗは、通過する媒体Ｑの表面上に投光されることとなり、先端面Ｏ１へ投光されていた光線Ｗの一部が遮光される。先端面Ｏ１は、媒体Ｑの搬送面Ｎに向けて投光される光線Ｗのうち、当該媒体Ｑによって遮光されていない部分の光を取り込んで、検出信号として出力する。
ここで、遮光された先端面Ｏ１の数は、通過した媒体Ｑの券幅ｈ１に対応する。また、受光器１１１ｂにおいて受光する光の強度（受光強度）は、遮光された先端面Ｏ１の数に比例して低下する。したがって、識別制御部１１０は、受光器１１１ｂから受け付ける光強度検出信号に基づいて、媒体Ｑ通過前の光の強度Ｐａに対する媒体Ｑ通過中の光の強度Ｐｂの比率（Ｐｂ／Ｐａ）を算出する。このようにして求められた比率Ｐｂ／Ｐａは、媒体Ｑの券幅ｈ１に比例して増減する値である。したがって、識別制御部１１０は、比率Ｐｂ／Ｐａの算出結果に基づいて媒体Ｑの種類を特定することができる。
また、識別制御部１１０は、受光器１１１ｂの受光強度が低下する時間を取得する。ここで、受光器１１１ｂの受光強度が低下する時間は、媒体Ｑの搬送方向前方の券端が先端面Ｏ１の配される地点に到達してから、媒体Ｑの搬送方向後方の券端が先端面Ｏ１の配される地点から離れるまでの通過時間に一致する。識別制御部１１０は、媒体Ｑの搬送速度が一定であることを前提として、上記通過時間に基づいて、媒体Ｑの券長を特定することができる。
以上のように、通過する媒体Ｑの大きさに応じて、先端面Ｏ１の各々から光ファイバ１１１ｅの内部を伝送して出力される光（検出信号）の強度が変化するので、当該光の強度に基づいて媒体の大きさを特定することができる。識別制御部１１０は、光ファイバ１１１ｅの先端面Ｏ１を通じて媒体Ｑの大きさを特定することで、当該大きさの相違から媒体Ｑの種類を特定することができる。
【０１１３】
なお、光ファイバ１１１ｅを用いて媒体Ｑの大きさを特定する本変形例に対し、ＥＴＣカード、クレジットカードの金属端子ｑ１（図１７（ｂ））を検出する手段等を組み合わせてもよい。
【０１１４】
また、上述した各実施形態に係る識別処理部１１１の各種態様、媒体分離部１１ａ、及び、排出駆動部１２の態様は、各実施形態に係る媒体処理装置１以外の媒体処理装置（一般的な料金自動収受機）にも適用可能である。シャッター部２０及び表示部３０に対して行う中央制御部１５の処理フロー（図１３）についても同様である。
【０１１５】
また、上述の各実施形態における媒体処理ユニット制御部１００及び中央制御部１５の機能を実現するためのプログラムをコンピュータ読み取り可能な記録媒体に記録して、この記録媒体に記録されたプログラムをコンピュータシステムに読み込ませ、実行することにより工程を行ってもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【０１１６】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【０１１７】
以上、本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で種々の省略、置き換え、変更を行うことができる。これら実施形態やその変形は、発明の範囲や要旨に含まれると同様に、特許請求の範囲に記載された発明とその均等の範囲に含まれるものとする。
【符号の説明】
【０１１８】
１  媒体処理装置（料金自動収受機）
１Ａ  前面
１Ａ’  裏面
１Ｂ  処理ユニット収容部
１０  媒体処理ユニット
１０Ａ  筐体
１０Ａ１、１０Ａ２  面
１０Ｂ  連結部
１０Ｂ１  上流側連結部
１０Ｂ２  下流側連結部
１００  媒体処理ユニット制御部
１０１  媒体処理部
１０２  搬送路
１０２ａ  引き込み部
１０２ｂ  排出部
１０３  処理用ローラ
１０ａ  ＥＴＣカード処理ユニット
１００ａ  ＥＴＣカード処理ユニット制御部
１０１ａ  ＥＴＣカード処理部
１０ｂ  クレジットカード処理ユニット
１００ｂ  クレジットカード処理ユニット制御部
１０１ｂ  クレジットカード処理部
１０ｃ  通行券処理ユニット
１００ｃ  通行券処理ユニット制御部
１０１ｃ  通行券処理部
１０ｄ  プリペイドカード処理ユニット
１００ｄ  プリペイドカード処理ユニット制御部
１０１ｄ  プリペイドカード処理部
１０ｅ  回数券処理ユニット
１００ｅ  回数券処理ユニット制御部
１０１ｅ  回数券処理部
１０ｆ  領収書処理ユニット
１００ｆ  領収書処理ユニット制御部
１０１ｆ  領収書処理部
１０ｇ  紙幣処理ユニット
１００ｇ  紙幣処理ユニット制御部
１０１ｇ  紙幣処理部
１１  識別部
１１Ａ  筐体
１１Ｂ  連結部
１１Ｂ１  上流側連結部
１１Ｂ２  下流側連結部
１１０  識別制御部
１１１  識別処理部
１１１ａ  投光器
１１１ｂ、１１１ｃ、１１１ｄ  受光器
１１１ｅ  光ファイバ
１１２  搬送路
１１２ａ  引き込み部
１１２ｂ  排出部
１１３  送りローラ
１１Ａ１、１１Ａ２  面
１１ａ  媒体分離部
１１４ａ  第１分離用ベルト
１１４ｂ  第２分離用ベルト
１１４ａ１、１１４ｂ１  ベルト搬送面
１２  排出駆動部
１２０  排出駆動制御部
１２１  媒体載置台
１２２  昇降軸
１２３  昇降用ギア
１２４ａ  排出用ローラ
１２４ｂ  可動ローラ
１３  搬送路ユニット
１３ａ  分岐用搬送路ユニット
１３Ａ  筐体
１３Ｂ  連結部
１３Ｂ１  上流側連結部
１３Ｂ２  下流側連結部
１３０  搬送路ユニット制御部
１３２  搬送路
１３２ａ  引き込み部
１３２ｂ  排出部
１３３  送りローラ
１４  開口部
１４ａ  挿入口
１４ｂ  排出口
１５  中央制御部
２０  シャッター部
２００  シャッター制御部
３０  表示部（通知部）
３００  表示制御部
９  料金収受施設
９Ａ  車種判別装置
９Ｂ  発進制御機
９Ｃ  発進検知器
【図１】
0006399446.tif 000002
【図２】
0006399446.tif 000003
【図３】
0006399446.tif 000004
【図４】
0006399446.tif 000005
【図５】
0006399446.tif 000006
【図６】
0006399446.tif 000007
【図７】
0006399446.tif 000008
【図８】
0006399446.tif 000009
【図９】
0006399446.tif 000010
【図１０】
0006399446.tif 000011
【図１１】
0006399446.tif 000012
【図１２】
0006399446.tif 000013
【図１３】
0006399446.tif 000014
【図１４】
0006399446.tif 000015
【図１５】
0006399446.tif 000016
【図１６】
0006399446.tif 000017
【図１７】
0006399446.tif 000018
【図１８】
0006399446.tif 000019